(57)【要約】【課題】  中古バッテリーを再生可能に処理して、分散電源装置等の電源として再利用を可能としたバッテリーの再生・流通システムを提供する。【解決手段】  バッテリー管理サーバー１は、中古バッテリー，再生処理したバッテリー，中古バッテリーを再生処理する事業者等のデータベースを格納するとともに、前記各種のデータをバッテリー毎に設けた属性データをベースとして、バッテリーを必要とする関係者において容易に閲覧可能に構成し、前記バッテリー管理サーバー１にてバッテリーユーザー４が必要とするバッテリーと、中古バッテリー供給者２が供給する中古バッテリーとが一致したとき、前記中古バッテリーは再生事業者３によって再生処理を施し、これを再生バッテリー７３として市場に流通させることにより、これまで再利用化が遅れていた中古バッテリーの廃棄に伴う環境負荷を大幅に軽減可能とした。【選択図】        図１
2005302337.tif 000002
【特許請求の範囲】
【請求項１】
バッテリー管理サーバーと、中古バッテリーを供給する中古バッテリー供給者側端末と、中古バッテリーを再生処理する再生事業者側端末と、再生バッテリーを使用するバッテリーユーザー側端末とをネットワークにより連系したバッテリーの再生・流通システムであって、
前記中古バッテリーを供給する中古バッテリー供給者側端末は、中古バッテリーの属性データを中古バッテリー供給者ＩＤを付して前記バッテリー管理サーバーに入力する入力手段を備え、
再生事業者側端末は、再生処理した再生バッテリーの属性データを再生事業者ＩＤを付して前記バッテリー管理サーバーに入力する入力手段を備え、
前記再生バッテリーを使用するバッテリーユーザー側端末は、必要とするバッテリーの属性データをバッテリーユーザーＩＤを付して前記バッテリー管理サーバーに入力する入力手段を備え、
更に、前記バッテリー管理サーバーには、
前記中古バッテリー供給者側端末と再生事業者側端末から入力された中古バッテリーや再生バッテリーの属性データを前記中古バッテリー供給者ＩＤや再生事業者ＩＤとともにバッテリー毎に記憶するバッテリー属性データ記憶手段と、
前記バッテリー属性データ記憶手段に記憶されたバッテリー毎の属性データを順次読み出して、前記バッテリーユーザー側端末から入力されたバッテリーユーザーが必要とするバッテリーの属性データと照合させ、それが一致する場合に、該バッテリーの属性データをフラグを付して前記バッテリー属性データ記憶手段に記憶する属性データ照合手段と、
前記バッテリー属性データ記憶手段から前記フラグを付したバッテリーの属性データを中古バッテリー供給者ＩＤ，再生事業者ＩＤとともに読み出し、前記読み出したバッテリーの属性データに再生事業者ＩＤが付されている場合にはその属性データを前記バッテリーユーザーＩＤを持つバッテリーユーザー側端末に、前記読み出した属性データに中古バッテリー供給者ＩＤが付されている場合にはその属性データを再生事業者ＩＤを持つ再生事業者側端末にそれぞれ伝送する属性データ伝送手段と、
を備えて成ることを特徴とするバッテリーの再生・流通システム。
【請求項２】
バッテリー管理サーバーと、中古バッテリーを供給する中古バッテリー供給者側端末と、中古バッテリーを再生処理する再生事業者側端末と、再生バッテリーを使用するバッテリーユーザー側端末とをネットワークにより連系したバッテリーの再生・流通システムであって、
前記中古バッテリーを供給する中古バッテリー供給者側端末は、中古バッテリーの属性データを中古バッテリー供給者ＩＤを付してバッテリー管理サーバーに入力する入力手段を備え、
再生事業者側端末は、再生処理した再生バッテリーの属性データを再生事業者ＩＤを付してバッテリー管理サーバーに入力する入力手段を備え
前記再生バッテリーを使用するバッテリーユーザー側端末は、必要とするバッテリーの属性データをバッテリーユーザーＩＤを付して前記バッテリー管理サーバーに入力する入力手段と、運転中の再生バッテリーを監視するバッテリー監視手段により検出した監視データをバッテリーユーザーＩＤとともにバッテリー管理サーバーに入力する監視データ入力手段とを備え、
更に、前記バッテリー管理サーバーには、
前記中古バッテリー供給者側端末と再生事業者側端末から入力された中古バッテリーや再生バッテリーの属性データを前記中古バッテリー供給者ＩＤや再生事業者ＩＤとともにバッテリー毎に記憶するバッテリー属性データ記憶手段と、
前記バッテリー属性データ記憶手段に記憶されたバッテリー毎の属性データを順次読み出して、前記バッテリーユーザー側端末から入力されたバッテリーユーザーが必要とするバッテリーの属性データと照合させ、それが一致する場合に、該バッテリーの属性データをフラグを付して前記バッテリー属性データ記憶手段に記憶する属性データ照合手段と、
前記バッテリー属性データ記憶手段から前記フラグを付したバッテリーの属性データを中古バッテリー供給者ＩＤ，再生事業者ＩＤとともに読み出し、前記読み出したバッテリーの属性データに再生事業者ＩＤが付されている場合にはその属性データを前記バッテリーユーザーＩＤを持つバッテリーユーザー側端末に、前記読み出した属性データに中古バッテリー供給者ＩＤが付されている場合にはその属性データを再生事業者ＩＤを持つ再生事業者側端末にそれぞれ伝送する属性データ伝送手段と、
前記バッテリーユーザー側端末のバッテリー監視手段から伝送される監視データが所定の設定値を逸脱したときバッテリーユーザー側端末にバッテリー交換情報を伝送する警報伝送手段と、
を備えて成ることを特徴とするバッテリーの再生・流通システム。
【請求項３】
前記バッテリー管理サーバーには、
バッテリー属性データ記憶手段に記憶された中古バッテリーの属性データを中古バッテリー供給者ＩＤとともに抽出して、中古バッテリー供給情報を作成する中古バッテリー情報抽出手段と、
バッテリー属性データ記憶手段に記憶されている再生バッテリーの属性データを再生事業者ＩＤとともに抽出して、再生バッテリーのバッテリー管理情報を作成する再生バッテリー情報抽出手段と、
を備えて成ることを特徴とする請求項１ないし２記載のバッテリーの再生・流通システム。
【請求項４】
前記バッテリーの属性データが、
バッテリーの型式，容量，使用年数等中古バッテリーを再生・流通させるために必要なバッテリーの仕様および履歴を示すデータ、
であることを特徴とする請求項１ないし３記載のバッテリーの再生・流通システム。
【請求項５】
前記バッテリー管理サーバーには、
バッテリーユーザー側端末から伝送されるバッテリー監視手段にて検出した監視データを各バッテリーユーザーが所有するバッテリー毎に表示する監視データ表示手段と、
前記表示される監視データを所要の端末に伝送する監視データ伝送手段と、
を備えて成ることを特徴とする請求項２記載のバッテリーの再生・流通システム。
【請求項６】
前記バッテリー管理サーバーに表示される監視データは、
運転中のバッテリーにおける電圧，電流，温度等バッテリーの運転状態を把握するためのデータ、
であることを特徴とする請求項５記載のバッテリーの再生・流通システム。
【請求項７】
前記バッテリー管理サーバーには、
前記バッテリーの監視データをベースにしてバッテリーの寿命を予測するバッテリー寿命予測手段と、
前記バッテリー寿命予測手段にて予測した寿命予測情報を所要の端末に伝送するバッテリー寿命予測情報伝送手段と、
を備えて成ることを特徴とする請求項１ないし６記載のバッテリーの再生・流通システム。
【請求項８】
前記各端末と連系するネットワークは、
電話回線通信手段，無線通信手段，衛星通信手段等、
から成ることを特徴とする請求項１ないし７記載のバッテリーの再生・流通システム。
【請求項９】
バッテリー管理サーバーと、中古バッテリーを供給する中古バッテリー供給者側端末と、中古バッテリーを再生処理する再生事業者側端末と、再生バッテリーを使用するバッテリーユーザー側端末とをネットワークにより連系し、前記バッテリー管理サーバーのコンピュータによりバッテリーの再生・流通システムを実現するプログラムであって、
前記バッテリー管理サーバー側のコンピュータを、
前記中古バッテリーの属性データを中古バッテリー供給者ＩＤとともに中古バッテリー供給者側端末から受信する受信手段、
前記再生処理した再生バッテリーの属性データを再生事業者ＩＤとともに再生事業者側端末から受信する受信手段、
必要とするバッテリーの属性データをバッテリーユーザーＩＤとともにバッテリーユーザー側端末から受信する受信手段、
前記中古バッテリー供給者側端末と再生事業者側端末から入力された中古バッテリーや再生バッテリーの属性データを前記中古バッテリー供給者ＩＤや再生事業者ＩＤとともにバッテリー毎に記憶するバッテリー属性データ記憶手段、
前記バッテリー属性データ記憶手段に記憶されたバッテリー毎の属性データを順次読み出して、前記バッテリーユーザー側端末から入力されたバッテリーユーザーが必要とするバッテリーの属性データと照合させ、それが一致する場合に、該バッテリーの属性データをフラグを付して前記バッテリー属性データ記憶手段に記憶する属性データ照合手段、
および
前記バッテリー属性データ記憶手段から前記フラグを付したバッテリーの属性データを中古バッテリー供給者ＩＤ，再生事業者ＩＤとともに読み出し、前記読み出したバッテリーの属性データが再生事業者ＩＤを付した再生バッテリーである場合にはその属性データを前記バッテリーユーザーＩＤを持つバッテリーユーザー側端末に、前記読み出した属性データが中古バッテリー供給者ＩＤを付した中古バッテリーである場合にはその属性データを再生事業者ＩＤを持つ再生事業者側端末にそれぞれ伝送する属性データ伝送手段、
として機能させることを特徴とするバッテリーの再生・流通システムを実現するプログラム。
【請求項１０】
バッテリー管理サーバーと、中古バッテリーを供給する中古バッテリー供給者側端末と、中古バッテリーを再生処理する再生事業者側端末と、再生バッテリーを使用するバッテリーユーザー側端末とをネットワークにより連系し、前記バッテリー管理サーバーのコンピュータによりバッテリーの再生・流通システムを実現するプログラムであって、
前記バッテリー管理サーバー側のコンピュータを、
前記中古バッテリーの属性データを中古バッテリー供給者ＩＤとともに中古バッテリー供給者側端末から受信する受信手段、
前記再生処理した再生バッテリーの属性データを再生事業者ＩＤとともに再生事業者側端末から受信する受信手段、
必要とするバッテリーの属性データをバッテリーユーザーＩＤとともにバッテリーユーザー側端末から受信する受信手段、
前記中古バッテリー供給者側端末と再生事業者側端末から入力された中古バッテリーや再生バッテリーの属性データを前記中古バッテリー供給者ＩＤや再生事業者ＩＤとともにバッテリー毎に記憶するバッテリー属性データ記憶手段、
前記バッテリー属性データ記憶手段に記憶されたバッテリー毎の属性データを順次読み出して、前記バッテリーユーザー側端末から入力されたバッテリーユーザーが必要とするバッテリーの属性データと照合させ、それが一致する場合に、該バッテリーの属性データをフラグを付して前記バッテリー属性データ記憶手段に記憶する属性データ照合手段、
前記バッテリー属性データ記憶手段から前記フラグを付したバッテリーの属性データを中古バッテリー供給者ＩＤ，再生事業者ＩＤとともに読み出し、前記読み出したバッテリーの属性データが再生事業者ＩＤを付した再生バッテリーである場合にはその属性データを前記バッテリーユーザーＩＤを持つバッテリーユーザー側端末に、前記読み出した属性データが中古バッテリー供給者ＩＤを付した中古バッテリーである場合にはその属性データを再生事業者ＩＤを持つ再生事業者側端末にそれぞれ伝送する属性データ伝送手段、
前記バッテリー属性データ記憶手段に記憶された中古バッテリーの属性データを中古バッテリー供給者ＩＤとともに抽出して中古バッテリー供給情報を作成する中古バッテリー情報抽出手段、
および
前記バッテリー属性データ記憶手段に記憶された再生バッテリーの属性データを再生事業者ＩＤとともに抽出してバッテリー管理情報を作成する再生バッテリー情報抽出手段、
として機能させることを特徴とするバッテリーの再生・流通システムを実現するプログラム。
【請求項１１】
バッテリー管理サーバーと、中古バッテリーを供給する中古バッテリー供給者側端末と、中古バッテリーを再生処理する再生事業者側端末と、再生バッテリーを使用するバッテリーユーザー側端末とをネットワークにより連系し、前記バッテリー管理サーバーのコンピュータによりバッテリーの再生・流通システムを実現するプログラムであって、
前記バッテリー管理サーバー側のコンピュータを、
前記中古バッテリーの属性データを中古バッテリー供給者ＩＤとともに中古バッテリー供給者側端末から受信する受信手段、
前記再生処理した再生バッテリーの属性データを再生事業者ＩＤとともに再生事業者側端末から受信する受信手段、
必要とするバッテリーの属性データとバッテリー監視手段により検出した運転中の再生バッテリーの監視データとをバッテリーユーザーＩＤとともにバッテリーユーザー側端末から受信する受信手段、
前記中古バッテリー供給者側端末と再生事業者側端末から入力された中古バッテリーや再生バッテリーの属性データを前記中古バッテリー供給者ＩＤや再生事業者ＩＤとともにバッテリー毎に記憶するバッテリー属性データ記憶手段、
前記バッテリー属性データ記憶手段に記憶されたバッテリー毎の属性データを順次読み出して、前記バッテリーユーザー側端末から入力されたバッテリーユーザーが必要とするバッテリーの属性データと照合させ、それが一致する場合に、該バッテリーの属性データをフラグを付して前記バッテリー属性データ記憶手段に記憶する属性データ照合手段、
前記バッテリー属性データ記憶手段から前記フラグを付したバッテリーの属性データを中古バッテリー供給者ＩＤ，再生事業者ＩＤとともに読み出し、前記読み出したバッテリーの属性データが再生事業者ＩＤを付した再生バッテリーである場合にはその属性データを前記バッテリーユーザーＩＤを持つバッテリーユーザー側端末に、前記読み出した属性データが中古バッテリー供給者ＩＤを付した中古バッテリーである場合にはその属性データを再生事業者ＩＤを持つ再生事業者側端末にそれぞれ伝送する属性データ伝送手段、
および
前記バッテリーユーザー側端末から受信したバッテリーの監視データが所定の設定値を逸脱しているか否かを判断し、逸脱している場合は、バッテリー交換情報を当該バッテリーを所有するバッテリーユーザー側端末にネットワークを介して伝送する警報伝送手段、
として機能させることを特徴とするバッテリーの再生・流通システムを実現するプログラム。
【請求項１２】
バッテリー管理サーバーと、中古バッテリーを供給する中古バッテリー供給者側端末と、中古バッテリーを再生処理する再生事業者側端末と、再生バッテリーを使用するバッテリーユーザー側端末とをネットワークにより連系し、前記バッテリー管理サーバーのコンピュータによりバッテリーの再生・流通システムを実現するプログラムであって、
前記バッテリー管理サーバー側のコンピュータを、
前記中古バッテリーの属性データを中古バッテリー供給者ＩＤとともに中古バッテリー供給者側端末から受信する受信手段、
前記再生処理した再生バッテリーの属性データを再生事業者ＩＤとともに再生事業者側端末から受信する受信手段、
必要とするバッテリーの属性データとバッテリー監視手段により検出した運転中の再生バッテリーの監視データとをバッテリーユーザーＩＤとともにバッテリーユーザー側端末から受信する受信手段、
前記中古バッテリー供給者側端末と再生事業者側端末から入力された中古バッテリーや再生バッテリーの属性データを前記中古バッテリー供給者ＩＤや再生事業者ＩＤとともにバッテリー毎に記憶するバッテリー属性データ記憶手段、
前記バッテリー属性データ記憶手段に記憶されたバッテリー毎の属性データを順次読み出して、前記バッテリーユーザー側端末から入力されたバッテリーユーザーが必要とするバッテリーの属性データと照合させ、それが一致する場合に、該バッテリーの属性データをフラグを付して前記バッテリー属性データ記憶手段に記憶する属性データ照合手段、
前記バッテリー属性データ記憶手段から前記フラグを付したバッテリーの属性データを中古バッテリー供給者ＩＤ，再生事業者ＩＤとともに読み出し、前記読み出したバッテリーの属性データが再生事業者ＩＤを付した再生バッテリーである場合にはその属性データを前記バッテリーユーザーＩＤを持つバッテリーユーザー側端末に、前記読み出した属性データが中古バッテリー供給者ＩＤを付した中古バッテリーである場合にはその属性データを再生事業者ＩＤを持つ再生事業者側端末にそれぞれ伝送する属性データ伝送手段、
前記監視データが事前に設定した寿命予測の設定値を逸脱したか否かを判断するバッテリー寿命予測手段、
および
監視データが寿命予測の設定値を逸脱しているときはバッテリー寿命予測情報を当該バッテリーを所有するバッテリーユーザー側端末にネットワークを介して伝送するバッテリー寿命予測情報伝送手段、
として機能させることを特徴とするバッテリーの再生・流通システムを実現するプログラム。
【発明の詳細な説明】
【技術分野】
【０００１】
本発明は、例えば、夜間の余剰電力を貯蔵し、昼間の電力需要ピーク時の負荷制御、あるいは、負荷平準化制御時等に前記貯蔵した電力を負荷に供給する、所謂、電池電力貯蔵装置の電源として用いるバッテリーの再生・流通システムおよび該システムを実現するプログラムに関する。
【背景技術】
【０００２】
従来から、電力会社や大規模な事業所をはじめ、スーパーマーケット，コンビニエンス・ストア等の小売店舗等においては、昼間の電力需要ピーク時とか、電力負荷の平準化等に対応する関係上、配電用変電所用の数ＭＷ級から、一般需要家用の数１０〜数１００ｋＷ級等種々の電池電力貯蔵装置が設置されている。この電池電力貯蔵装置は、昼夜間の格差の大きい電力負荷の平準化や電力設備の効率運用等に役立つ他、太陽光や風力発電等出力の不安定な自然エネルギー発電と組合せて電源の安定化を図ったり、非常用電源として活用することができる。そして、前記電池電力貯蔵装置を、例えば、一般需要家において取付ける場合は、需要家内にある分電盤内の配線用遮断器に常時接続されて系統連系運転ができるように設置されており、その構成は制御装置と、双方向交直変換装置と、電源となるバッテリーとを備えて概略構成されている。
【０００３】
そして、前記制御装置は、例えば、電池電力貯蔵装置全体の運転・管理制御を行い、運転制御においては、例えば、バッテリー（鉛蓄電池）の充電を行う充電運転と放電を行い負荷に電力を供給する電力運転制御とがある。また、管理制御においては、電池電力貯蔵装置の各運転の選択や時間設定、装置各部の状態や異常情報を把握・表示できるように構成されている。
【０００４】
また、双方向交直変換装置は、例えば、ＰＷＭインバータ，交流フィルタ，変圧器等にて構成され、充電運転時は配電系統からバッテリーに電力を送る順変換動作、電力運転時はバッテリーから負荷へ電力を送る逆変換動作を行う双方向変換機能が具備されている。更に、交流フィルタは高周波の除去、変圧器はＰＷＭインバータの出力電圧の昇圧と配電系統との絶縁の役割を担うように構成されている。
【０００５】
更に、電源となるバッテリーは、例えば、公称電圧４Ｖ，容量７０Ａｈのバッテリーを所定数直列接続したものが一般に使用されており、これらバッテリーを主体として構成した電池電力貯蔵装置には、バッテリーを保護するための電池電圧，電流，電池温度等を測定するバッテリー監視センサが一般に具備されている。
【０００６】
そして、前記電池電力貯蔵装置においては、一般にこれまで使用していたバッテリーが性能の劣化により、現状のままでの継続使用が困難となって使用機器から取外した中古バッテリーにおいては、その都度新しいバッテリーと交換していた。前記バッテリーの交換は、電池電力貯蔵装置に限らず、トラック，バス，フォークリフト等の輸送車両等に使用されているバッテリーにおいても、性能の劣化により継続使用が困難となった場合は同様に処理されている（例えば、非特許文献１参照 ）。
【非特許文献１】小沢昭弥、他３名「劣化廃棄鉛電池を再生利用する試み」化学工業、株式会社化学工業社、平成１３年８月、第５２巻、第８号、ｐ．７１−７４
【発明の開示】
【発明が解決しようとする課題】
【０００７】
前記のように、性能の劣化により継続使用が困難となって新しいバッテリーと交換するために、電池電力貯蔵装置から取り外すことになった中古バッテリーは、その大半が鉛蓄電池であり、かつ、前記鉛蓄電池はその主要部を構成する稀硫酸と鉛が公害物質であるため、そのまま放置することは許されず、大部分が廃棄物として適法に廃棄処分していたが、近年、環境問題が大きくクローズアップされており、前記廃棄物としてのバッテリーは、電池電力貯蔵装置や輸送機器（トラック，バス等）等に使用していたものを含めると、年毎にその廃棄量が増大するため、廃棄処理に苦慮していることはもとより、廃棄場所の問題とか廃棄処理のコストが必然的に高騰する等種々の問題が山積していた。
【０００８】
前記の問題に鑑み、今日資源の保護・環境汚染を抑制すべく、前記継続使用が困難となって新しいバッテリーとの交換を余儀なくされた中古バッテリーは、これを再生処理することにより、新たに再生バッテリーとしての利用が可能な場合は、これを新品のバッテリーと同様に使用すべきとの社会的要求が年々高まってきている。これは、中古バッテリーを再生処理し、再生バッテリーとしてその利用を図ることにより、中古バッテリー自体の廃棄量を良好に軽減できることはもとより、バッテリー自体の延命化を促進して電気エネルギーの有効活用をはかることが可能となる。然るに、現状は前記中古バッテリーの再生処理が可能であるにもかかわらず、一部の限られたバッテリーユーザーが、バッテリーの延命対策の一環として中古バッテリーを再生処理しこれを再利用しているに過ぎず、前記急増する中古バッテリーの削減対策として、これを再生処理し再生バッテリーとして、例えば、前記電池電力貯蔵装置等バッテリーを電源とする機器等に再利用するという再生事業を立ち上げ運用するという気運は全くなかった。この結果、今日地球環境を保護するシステムとして、前記廃棄物として処理していた中古バッテリーの再利用化を求める要望が日々に高くなってきた。
【０００９】
本発明は、前記の課題を解消して、前記中古バッテリーを効率よく回収し、これを再生処理し再生バッテリーとして、例えば、コンビニエンス・ストアとかスーパーマーケット等に分散型電源として設置されている電池電力貯蔵装置用の電源として、その所有者であるバッテリーユーザー等に賃貸する等して市場に流通させることにより、前記中古バッテリーの廃棄処理に伴う環境負荷増を効果的に低減できることはもとより、安全で経済的な再生バッテリーとして再利用を可能とした、バッテリーの再生・流通システムおよび該システムを実現するプログラムを提供することにある。
【課題を解決するための手段】
【００１０】
請求項１記載の発明は、バッテリー管理サーバーと、中古バッテリーを供給する中古バッテリー供給者側端末と、中古バッテリーを再生処理する再生事業者側端末と、再生バッテリーを使用するバッテリーユーザー側端末とをネットワークにより連系したバッテリーの再生・流通システムであって、前記中古バッテリーを供給する中古バッテリー供給者側端末は、中古バッテリーの属性データを中古バッテリー供給者ＩＤを付して前記バッテリー管理サーバーに入力する入力手段を備え、再生事業者側端末は、再生処理した再生バッテリーの属性データを再生事業者ＩＤを付して前記バッテリー管理サーバーに入力する入力手段を備え、前記再生バッテリーを使用するバッテリーユーザー側端末は、必要とするバッテリーの属性データをバッテリーユーザーＩＤを付して前記バッテリー管理サーバーに入力する入力手段を備え、更に、前記バッテリー管理サーバーには、前記中古バッテリー供給者側端末と再生事業者側端末から入力された中古バッテリーや再生バッテリーの属性データを前記中古バッテリー供給者ＩＤや再生事業者ＩＤとともにバッテリー毎に記憶するバッテリー属性データ記憶手段と、前記バッテリー属性データ記憶手段に記憶されたバッテリー毎の属性データを順次読み出して、前記バッテリーユーザー側端末から入力されたバッテリーユーザーが必要とするバッテリーの属性データと照合させ、それが一致する場合に、該バッテリーの属性データをフラグを付して前記バッテリー属性データ記憶手段に記憶する属性データ照合手段と、前記バッテリー属性データ記憶手段から前記フラグを付したバッテリーの属性データを中古バッテリー供給者ＩＤ、再生事業者ＩＤとともに読み出し、前記読み出したバッテリーの属性データに再生事業者ＩＤが付されている場合にはその属性データを前記バッテリーユーザーＩＤを持つバッテリーユーザー側端末に、前記読み出した属性データに中古バッテリー供給者ＩＤが付されている場合にはその属性データを再生事業者ＩＤを持つ再生事業者側端末にそれぞれ伝送する属性データ伝送手段とを備えて成ることを特徴とする。
【００１１】
請求項１記載の発明においては、例えば、電力会社や大規模な事業所、小売店舗等において、昼間の電力需要ピーク時対策等の関係から使用されている電池電力貯蔵装置等の電源であるバッテリーが、性能の劣化により継続使用ができず中古バッテリーとなった場合、この中古バッテリーを回収して再利用可能な再生バッテリーとして再生処理し、この再生バッテリーを、例えば、コンビニエンス・ストアとか、スーパーマーケット、中小事業所等において無停電電源装置用に設置した電池電力貯蔵装置のバッテリーとして、新品のバッテリーと同様に使用することができるので、利便である。
【００１２】
しかも、前記再生バッテリーは、その使用中劣化により継続使用が困難な場合、別の再生バッテリー等と交換して回収し、この回収した中古バッテリーが再度再生可能な場合は、再生処理してバッテリー市場に流通させての再利用化を図ることができるので、前記中古バッテリーの再生・流通システムの利用により、前記中古バッテリーは、再利用化に伴い廃棄物としての廃棄量を良好に軽減することが可能となり、環境負荷を良好に低減することができる。この結果、これまで単に廃棄処理していた中古バッテリーは、このバッテリーを所有している所有者（中古バッテリー供給者）と、自らが使用している、または、必要とするバッテリーを探しているバッテリーユーザー等が、ネットワーク等の広域通信網を介してバッテリー管理サーバーに自らのバッテリーに関する所要条件を開示し、この条件開示によって中古バッテリーの中に再利用可能なバッテリーが存在している場合は、そのバッテリーを再生処理して利用するか、あるいは、既に再生処理が完了しておれば、再生バッテリー自体を前記ネットワークを介して容易に入手することが可能となる。即ち、ネットワークを介してバッテリー管理サーバーにより、自らが必要とするバッテリーの有・無を検索（確認）することにより、中古バッテリーは、これまでのように単に廃棄処理するのではなく、これを必要とするバッテリーユーザーに再生処理を施して提供するという事業（ビジネス）システムを容易に構築できるようにしたので、中古バッテリーの供給者、この中古バッテリーを再生処理する再生事業者、再生バッテリーを必要（使用）とするバッテリーユーザーを一つのバッテリー再生・流通システムに容易に組込むことが可能となる。これにより、これまで廃棄処理していた中古バッテリーは、これを再生処理して世の中に再生バッテリーとして流通させ、この再生バッテリーをエネルギー資源として利用するための再生事業として立ち上げることにより、限りある資源の有効活用が良好にはかれることはもとより、これによって地球環境の負荷を容易に、しかも、確実に減少させることができる。
【００１３】
請求項２記載の発明は、バッテリー管理サーバーと、中古バッテリーを供給する中古バッテリー供給者側端末と、中古バッテリーを再生処理する再生事業者側端末と、再生バッテリーを使用するバッテリーユーザー側端末とをネットワークにより連系したバッテリーの再生・流通システムであって、前記中古バッテリーを供給する中古バッテリー供給者側端末は、中古バッテリーの属性データを中古バッテリー供給者ＩＤを付してバッテリー管理サーバーに入力する入力手段を備え、再生事業者側端末は、再生処理した再生バッテリーの属性データを再生事業者ＩＤを付してバッテリー管理サーバーに入力する入力手段を備え、前記再生バッテリーを使用するバッテリーユーザー側端末は、必要とするバッテリーの属性データをバッテリーユーザーＩＤを付して前記バッテリー管理サーバーに入力する入力手段と、運転中の再生バッテリーを監視するバッテリー監視手段により検出した監視データをバッテリーユーザーＩＤとともにバッテリー管理サーバーに入力する監視データ入力手段とを備え、更に、前記バッテリー管理サーバーには、前記中古バッテリー供給者側端末と再生事業者側端末から入力された中古バッテリーや再生バッテリーの属性データを前記中古バッテリー供給者ＩＤや再生事業者ＩＤとともにバッテリー毎に記憶するバッテリー属性データ記憶手段と、前記バッテリー属性データ記憶手段に記憶されたバッテリー毎の属性データを順次読み出して、前記バッテリーユーザー側端末から入力されたバッテリーユーザーが必要とするバッテリーの属性データと照合させ、それが一致する場合に、該バッテリーの属性データをフラグを付して前記バッテリー属性データ記憶手段に記憶する属性データ照合手段と、前記バッテリー属性データ記憶手段から前記フラグを付したバッテリーの属性データを中古バッテリー供給者ＩＤ，再生事業者ＩＤとともに読み出し、前記読み出したバッテリーの属性データに再生事業者ＩＤが付されている場合にはその属性データをバッテリーを必要とするバッテリーユーザーＩＤを持つバッテリーユーザー側端末に、前記読み出した属性データに中古バッテリー供給者ＩＤが付されている場合にはその属性データを再生事業者ＩＤを持つ再生事業者側端末にそれぞれ伝送する属性データ伝送手段と、前記バッテリーユーザー側端末のバッテリー監視手段から伝送される監視データが所定の設定値を逸脱したときバッテリーユーザー側端末にバッテリー交換情報を伝送する警報伝送手段とを備えて成ることを特徴とする。
【００１４】
請求項２記載の発明においては、例えば、電力会社や大規模な事業所や小売店舗等において、昼間の電力需要ピーク時対策等の関係から使用していた電池電力貯蔵装置のバッテリーが、性能の劣化により継続使用が困難となって中古バッテリーとなった場合、これを再生バッテリーとして再利用可能に再生処理することにより、例えば、昼間の電力需要のピーク時等に放電して電力ピークの乗り切り（ピークカット）を図ったり、コンピュータシステムの非常用電源等として、例えば、コンビニエンス・ストアとかスーパーマーケット等において、無停電電源装置用に設置した電池電力貯蔵装置のバッテリーとして容易に利用をすることができる。また、前記再生バッテリーの運転状況は、バッテリーユーザー側に設置したバッテリー監視手段により検出し、その監視（検出）データをネットワークを介してバッテリー管理サーバーに伝送して常時監視できるようにしたので、バッテリー管理サーバーの管理者、例えば、中古バッテリーを再生処理しこれを再生バッテリーとしてビジネス市場に流通させることを業とする再生バッテリーの管理事業者（必要に応じて中古バッテリー供給者、再生事業者等でも実施可）等は、前記バッテリー管理サーバーに伝送される監視データを確認することにより、再生バッテリーの劣化状況や交換時期等が事前に、かつ、確実に把握することができるので、再生バッテリーの急激な放電機能低下に伴う負荷等への悪影響とか、充電機能の低下等の問題が確実に回避でき、バッテリーユーザーが再生バッテリーの機能低下に伴い負荷等が悪影響を被るという問題を迅速・確実に解消することができる。しかも、再生バッテリーの運転状況は、バッテリー管理サーバーにリアルタイム、あるいは、定期的に伝送されるので、前記伝送される再生バッテリーの監視データをバッテリー管理サーバーに設けたチェック機能等にて各バッテリー毎に個々にチェックすることにより、バッテリー管理サーバーの管理者は、各バッテリーユーザーが所有する再生バッテリーの運転状況を確実に把握することができる。このため、バッテリーユーザーが再生バッテリーを電源として使用している電池電力貯蔵装置の点検等を仮に怠ったとしても、前記監視データにより再生バッテリーは、その運転状況を日常的に知ることができるので、再生バッテリーを使用する上での悪影響や問題等を容易に解消することができるという利点を備えている。
【００１５】
請求項３記載の発明は、請求項１ないし２記載のバッテリーの再生・流通システムにおいて、前記バッテリー管理サーバーには、バッテリー属性データ記憶手段に記憶された中古バッテリーの属性データを中古バッテリー供給者ＩＤとともに抽出して、中古バッテリー供給情報を作成する中古バッテリー情報抽出手段とバッテリー属性データ記憶手段に記憶されている再生バッテリーの属性データを再生事業者ＩＤとともに抽出して、再生バッテリーのバッテリー管理情報を作成する再生バッテリー情報抽出手段とを備えて成ることを特徴とする。
【００１６】
請求項３記載の発明においては、中古バッテリーをはじめ、この中古バッテリーを再生処理した再生バッテリーの属性データをベースにして、中古バッテリー供給情報および再生処理した再生バッテリー管理情報を作成する中古バッテリー情報抽出手段と、再生バッテリー情報抽出手段とがそれぞれバッテリー管理サーバーに具備されているので、例えば、中古バッテリー供給者においては、中古バッテリー供給情報を閲覧することにより、バッテリー市場がどの仕様の中古バッテリーを求めているのか、あるいは、自分が保有している中古バッテリーが市場で受け入れられるのか、また、再生バッテリーを必要とするバッテリーユーザーにおいては、自分が必要とする中古バッテリーとか再生バッテリーが市場に流通しているか否かは、バッテリー管理サーバーにアクセスして中古バッテリー供給情報とかバッテリー管理情報を閲覧することにより、即座に確認することができるので、即ち、自分が必要とするバッテリーの存在が迅速・容易に確認でき、利便である。
【００１７】
請求項４記載の発明は、請求項１ないし３記載のバッテリーの再生・流通システムにおいて、前記バッテリーの属性データが、バッテリーの型式，容量，使用年数等中古バッテリーを再生・流通させるために必要なバッテリーの仕様および履歴を示すデータであることを特徴とする。
【００１８】
請求項４記載の発明においては、中古バッテリー供給情報や再生バッテリーの管理情報においては、バッテリーの属性データとしてバッテリーの履歴が明瞭に記載されている、即ち、中古バッテリーのＩＤ番号をはじめ、バッテリーの型式，使用年数，再生回数，再生バッテリーの試験データ，再生事業者等、中古バッテリーを再利用するに際して必要な履歴を明瞭に開示するようにしたので、使用中の再生バッテリーに問題が生じた場合、そのバッテリーの履歴をバッテリー管理サーバーにて確認することにより、問題の対応が容易に行えるとともに、バッテリーユーザーにおいても、自らが電池電力貯蔵装置等に使用するバッテリーが中古バッテリーを再生処理したものであっても、その履歴が明瞭であるため、バッテリー自体が、再生バッテリーであってもその信頼性が著しく向上し、安心して利用することができるという利点がある。
【００１９】
請求項５記載の発明は、請求項２記載のバッテリーの再生・流通システムにおいて、前記バッテリー管理サーバーには、バッテリーユーザー側端末から伝送されるバッテリー監視手段にて検出した監視データを、各バッテリーユーザーが所有するバッテリー毎に表示する監視データ表示手段と、前記表示される監視データを所要の端末に伝送する監視データ伝送手段とを備えて成ることを特徴とする。
【００２０】
請求項５記載の発明においては、バッテリーユーザーが保有している電池電力貯蔵装置に電源として設置した再生バッテリーの運転状況をリアルタイム、あるいは、定期的に監視するバッテリー監視手段を前記電池電力貯蔵装置に具備し、このバッテリー監視手段により検出したバッテリーの監視データ（検出データ）をバッテリーユーザー側端末から伝送手段によりバッテリー管理サーバーに伝送し、このバッテリー管理サーバーにて前記監視データを監視データ表示手段にて表示するとともに、所要の端末に監視データ伝送手段にて伝送するようにしたので、前記バッテリー管理サーバーの管理者は、常にバッテリーユーザー側に設置した再生バッテリーの運転状況が的確に把握（監視）できることはもとより、前記監視データを他のバッテリー関係者にも同時に伝送にて知らせることができるので、即ち、再生バッテリーの運転状況をバッテリー監視情報として常に複数のバッテリー関係者において確認することが可能となり、これにより、再生バッテリーの劣化状況が容易に把握でき、利便である。
【００２１】
請求項６記載の発明は、請求項５記載のバッテリーの再生・流通システムにおいて、前記バッテリー管理サーバーに表示される監視データは、運転中のバッテリーにおける電圧，電流，温度等バッテリーの運転状態を把握するためのデータであることを備えて成ることを特徴とする。
【００２２】
請求項６記載の発明においては、バッテリー管理サーバーの監視データ表示手段に表示される監視データは、再生バッテリーの電圧をはじめ、電流，温度等再生バッテリーの運転状況を客観的に把握する上で最適な監視データであり、これら各データを常時、または、定期的に把握していることにより、再生バッテリーの負荷に対する給電量や、過負荷運転状況下にあるか否か等が容易に確認することができることはもとより、再生バッテリーであるが故に使用中に、例えば、急激に過放電状態に陥ったりした場合、負荷に悪影響を与えるという問題も確実に把握することが可能となる等、再生バッテリーの使用中における運転状況が的確に認識でき、利便である。
【００２３】
請求項７記載の発明は、請求項１ないし６記載のバッテリーの再生・流通システムにおいて、前記バッテリー管理サーバーには、前記バッテリーの監視データをベースにしてバッテリーの寿命を予測するバッテリー寿命予測手段と、前記バッテリー寿命予測手段にて予測した寿命予測情報を所要の端末に伝送するバッテリー寿命予測情報伝送手段とを備えて成ることを特徴とする。
【００２４】
請求項７記載の発明においては、再生バッテリーの運転状況をバッテリー監視手段にて検出し、その監視（検出）データをバッテリー管理サーバーに伝送して、バッテリー監視情報として監視データ表示手段により表示するとともに、該当する他の端末に監視情報のデータ伝送を行うことはもとより、バッテリー管理サーバーにバッテリー交換情報とは別に、再生バッテリーの寿命を予測するためのデータベースを設け、このデータベースには、事前にバッテリーの監視データとして表示されるデータを基準にして、例えば、再生バッテリーの使用初期における電圧，電流，温度等各種の設定値データと、バッテリーが劣化等により初期の設定値を維持することが難しく、バッテリーの交換を必要とする設定値データとのほぼ中間位置において、バッテリーの使用により機能が徐々に低下して、バッテリー自体の寿命があとどれくらいかを予測するための設定値を事前に設定し、この設定値データをバッテリー管理サーバーに寿命予測データとして記憶させておく。そして、バッテリーユーザーから再生バッテリーの監視データがバッテリー管理サーバーに伝送される毎に、監視データと前記事前に設定した寿命予測データとを照合し、例えば、当該電圧，電流，温度のデータのうち、どれか１つのデータが、前記寿命予測データの設定値から逸脱したとき、例えば、再生バッテリーは、あと何日ぐらい使用できるのか平均的な使用日数を寿命予測としてバッテリー管理サーバーに表示させると同時に、この寿命予測状況をバッテリーユーザーや再生事業者等に再生バッテリーの寿命予測のメッセージとして伝送するようにしたので、バッテリーユーザー等は、再生バッテリーがあとどれくらいの期間使用することができるかということを未然に、かつ、容易に把握することが可能となる。これにより、次のバッテリーをいつ用意すればよいかを事前に把握することができ、再生バッテリーの急変する機能低下等により、負荷が悪影響を受けるという問題等に対し事前に対応でき、至便である。
【００２５】
請求項８記載の発明は、請求項１ないし７記載のバッテリーの再生・流通システムにおいて、前記各端末と連系するネットワークは、電話回線通信手段，無線通信伝送手段，衛星通信手段等から成ることを特徴とする。
【００２６】
請求項８記載の発明においては、各バッテリー関係者の端末とネットワークとの連系は、特別な専用回線を用いることなく、通常の電話回線網をはじめ、無線伝送手段，衛星通信手段等周知の連系手段（例えば、インターネット等の通信手段）を利用して接続することができるので、利便である。
【００２７】
請求項９記載の発明は、バッテリー管理サーバーと、中古バッテリーを供給する中古バッテリー供給者側端末と、中古バッテリーを再生処理する再生事業者側端末と、再生バッテリーを使用するバッテリーユーザー側端末とをネットワークにより連系し、前記バッテリー管理サーバーのコンピュータによりバッテリーの再生・流通システムを実現するプログラムであって、前記バッテリー管理サーバー側のコンピュータを、前記中古バッテリーの属性データを中古バッテリー供給者ＩＤとともに中古バッテリー供給者側端末から受信する受信手段、前記再生処理した再生バッテリーの属性データを再生事業者ＩＤとともに再生事業者側端末から受信する受信手段、必要とするバッテリーの属性データをバッテリーユーザーＩＤとともにバッテリーユーザー側端末から受信する受信手段、前記中古バッテリー供給者側端末と再生事業者側端末から入力された中古バッテリーや再生バッテリーの属性データを前記中古バッテリー供給者ＩＤや再生事業者ＩＤとともにバッテリー毎に記憶するバッテリー属性データ記憶手段、前記バッテリー属性データ記憶手段に記憶されたバッテリー毎の属性データを順次読み出して、前記バッテリーユーザー側端末から入力されたバッテリーユーザーが必要とするバッテリーの属性データと照合させ、それが一致する場合に、該バッテリーの属性データをフラグを付して前記バッテリー属性データ記憶手段に記憶する属性データ照合手段、および、前記バッテリー属性データ記憶手段から前記フラグを付したバッテリーの属性データを中古バッテリー供給者ＩＤ，再生事業者ＩＤとともに読み出し、前記読み出したバッテリーの属性データが再生事業者ＩＤを付した再生バッテリーである場合にはその属性データを前記バッテリーユーザーＩＤを持つバッテリーユーザー側端末に、前記読み出した属性データが中古バッテリー供給者ＩＤを付した中古バッテリーである場合にはその属性データを再生事業者ＩＤを持つ再生事業者側端末にそれぞれ伝送する属性データ伝送手段として機能させることを特徴とする。
【００２８】
請求項９記載の発明においては、周知のコンピュータに、前記のバッテリーの再生・流通システムを実現するためのバッテリー管理サーバーのプログラムをインストールすることにより、中古バッテリー，再生バッテリーの存在から、これらバッテリーに関係する中古バッテリーの供給者や中古バッテリーを再生処理する再生事業者，再生バッテリーを導入したバッテリーユーザー等複数のバッテリー関係者に対する相互のバッテリー情報の伝達をはじめ、再生バッテリーを市場に流通させるために、中古バッテリーの回収から、中古バッテリーを再生処理し、再生バッテリーとして市場に流通させて再利用を図るようにした再生事業の立ち上げを可能とした、即ち、バッテリーの再生・流通の事業化を促進するコンピュータシステムを容易に実現させることができるようにしたので、これまで単に廃棄物として処理していた中古バッテリーを容易に再生処理し、これを再生バッテリーという市場に受け入れられる商品に復活させて、市場に流通させて再利用を図る事業を構築できるようにしたので、利便である。
【００２９】
請求項１０記載の発明は、バッテリー管理サーバーと、中古バッテリーを供給する中古バッテリー供給者側端末と、中古バッテリーを再生処理する再生事業者側端末と、再生バッテリーを使用するバッテリーユーザー側端末とをネットワークにより連系し、前記バッテリー管理サーバーのコンピュータによりバッテリーの再生・流通システムを実現するプログラムであって、前記バッテリー管理サーバー側のコンピュータを、前記中古バッテリーの属性データを中古バッテリー供給者ＩＤとともに中古バッテリー供給者側端末から受信する受信手段、前記再生処理した再生バッテリーの属性データを再生事業者ＩＤとともに再生事業者側端末から受信する受信手段、必要とするバッテリーの属性データをバッテリーユーザーＩＤとともにバッテリーユーザー側端末から受信する受信手段、前記中古バッテリー供給者側端末と再生事業者側端末から入力された中古バッテリーや再生バッテリーの属性データを前記中古バッテリー供給者ＩＤや再生事業者ＩＤとともにバッテリー毎に記憶するバッテリー属性データ記憶手段、前記バッテリー属性データ記憶手段に記憶されたバッテリー毎の属性データを順次読み出して、前記バッテリーユーザー側端末から入力されたバッテリーユーザーが必要とするバッテリーの属性データと照合させ、それが一致する場合に、該バッテリーの属性データをフラグを付して前記バッテリー属性データ記憶手段に記憶する属性データ照合手段、前記バッテリー属性データ記憶手段から前記フラグを付したバッテリーの属性データを中古バッテリー供給者ＩＤ，再生事業者ＩＤとともに読み出し、前記読み出したバッテリーの属性データが再生事業者ＩＤを付した再生バッテリーである場合にはその属性データを前記バッテリーユーザーＩＤを持つバッテリーユーザー側端末に、前記読み出した属性データが中古バッテリー供給者ＩＤを付した中古バッテリーである場合にはその属性データを再生事業者ＩＤを持つ再生事業者側端末にそれぞれ伝送する属性データ伝送手段、前記バッテリー属性データ記憶手段に記憶された中古バッテリーの属性データを中古バッテリー供給者ＩＤとともに抽出して中古バッテリー供給情報を作成する中古バッテリー情報抽出手段、および前記バッテリー属性データ記憶手段に記憶された再生バッテリーの属性データを再生事業者ＩＤとともに抽出してバッテリー管理情報を作成する再生バッテリー情報抽出手段として機能させることを特徴とする。
【００３０】
請求項１０記載の発明においては、バッテリーユーザーが必要とする中古バッテリーの供給情報をはじめ、再生バッテリーの管理情報、更には、中古バッテリーを最適条件下で再生処理を行う再生事業者等の「有・無」情報等を、すべてバッテリー管理サーバーにおいて一元的に、かつ、システム的に作成し管理することができるので、バッテリーユーザー、再生事業者は、バッテリー管理サーバーにアクセスして所望のバッテリーの「有・無」を確認することにより、必要とする中古あるいは再生バッテリーをネットワークを介して迅速・容易に導入を図ることが可能となり、利便である。
【００３１】
請求項１１記載の発明は、バッテリー管理サーバーと、中古バッテリーを供給する中古バッテリー供給者側端末と、中古バッテリーを再生処理する再生事業者側端末と、再生バッテリーを使用するバッテリーユーザー側端末とをネットワークにより連系し、前記バッテリー管理サーバーのコンピュータによりバッテリーの再生・流通システムを実現するプログラムであって、前記バッテリー管理サーバー側のコンピュータを、前記中古バッテリーの属性データを中古バッテリー供給者ＩＤとともに中古バッテリー供給者側端末から受信する受信手段、前記再生処理した再生バッテリーの属性データを再生事業者ＩＤとともに再生事業者側端末から受信する受信手段、必要とするバッテリーの属性データとバッテリー監視手段により検出した運転中の再生バッテリーの監視データをバッテリーユーザーＩＤとともにバッテリーユーザー側端末から受信する受信手段、前記中古バッテリー供給者側端末と再生事業者側端末から入力された中古バッテリーや再生バッテリーの属性データを前記中古バッテリー供給者ＩＤや再生事業者ＩＤとともにバッテリー毎に記憶するバッテリー属性データ記憶手段、前記バッテリー属性データ記憶手段に記憶されたバッテリー毎の属性データを順次読み出して、前記バッテリーユーザー側端末から入力されたバッテリーユーザーが必要とするバッテリーの属性データと照合させ、それが一致する場合に、該バッテリーの属性データをフラグを付して前記バッテリー属性データ記憶手段に記憶する属性データ照合手段、前記バッテリー属性データ記憶手段から前記フラグを付したバッテリーの属性データを中古バッテリー供給者ＩＤ，再生事業者ＩＤとともに読み出し、前記読み出したバッテリーの属性データが再生事業者ＩＤを付した再生バッテリーである場合にはその属性データを前記バッテリーユーザーＩＤを持つバッテリーユーザー側端末に、前記読み出した属性データが中古バッテリー供給者ＩＤを付した中古バッテリーである場合にはその属性データを再生事業者ＩＤを持つ再生事業者側端末にそれぞれ伝送する属性データ伝送手段、および前記バッテリーユーザー側端末から受信したバッテリーの監視データが所定の設定値を逸脱しているか否かを判断し、逸脱している場合は、バッテリー交換情報を当該バッテリーを所有するバッテリーユーザー側端末にネットワークを介して伝送する警報伝送手段として機能させることを特徴とする。
【００３２】
請求項１１記載の発明においては、再生バッテリーの交換情報がバッテリー管理サーバーによって、迅速・確実に把握することができるので、再生バッテリーの使用状況に対応してバッテリーの交換作業を事前に、かつ、容易に認識することができるので、バッテリーユーザーにおいては、再生バッテリーの使用中に発生する不測の事態を未然に回避することができ、利便である。
【００３３】
請求項１２記載の発明は、バッテリー管理サーバーと、中古バッテリーを供給する中古バッテリー供給者側端末と、中古バッテリーを再生処理する再生事業者側端末と、再生バッテリーを使用するバッテリーユーザー側端末とをネットワークにより連系し、前記バッテリー管理サーバーのコンピュータによりバッテリーの再生・流通システムを実現するプログラムであって、前記バッテリー管理サーバー側のコンピュータを、前記中古バッテリーの属性データを中古バッテリー供給者ＩＤとともに中古バッテリー供給者側端末から受信する受信手段、前記再生処理した再生バッテリーの属性データを再生事業者ＩＤとともに再生事業者側端末から受信する受信手段、必要とするバッテリーの属性データとバッテリー監視手段により検出した運転中の再生バッテリーの監視データとをバッテリーユーザーＩＤとともにバッテリーユーザー側端末から受信する受信手段、前記中古バッテリー供給者側端末と再生事業者側端末から入力された中古バッテリーや再生バッテリーの属性データを前記中古バッテリー供給者ＩＤや再生事業者ＩＤとともにバッテリー毎に記憶するバッテリー属性データ記憶手段、前記バッテリー属性データ記憶手段に記憶されたバッテリー毎の属性データを順次読み出して、前記バッテリーユーザー側端末から入力されたバッテリーユーザーが必要とするバッテリーの属性データと照合させ、それが一致する場合に、該バッテリーの属性データをフラグを付して前記バッテリー属性データ記憶手段に記憶する属性データ照合手段、前記バッテリー属性データ記憶手段から前記フラグを付したバッテリーの属性データを中古バッテリー供給者ＩＤ，再生事業者ＩＤとともに読み出し、前記読み出したバッテリーの属性データが再生事業者ＩＤを付した再生バッテリーである場合にはその属性データを前記バッテリーユーザーＩＤを持つバッテリーユーザー側端末に、前記読み出した属性データが中古バッテリー供給者ＩＤを付した中古バッテリーである場合にはその属性データを再生事業者ＩＤを持つ再生事業者側端末にそれぞれ伝送する属性データ伝送手段、前記監視データが事前に設定した寿命予測の設定値を逸脱したか否かを判断するバッテリー寿命予測手段、および監視データが寿命予測の設定値を逸脱しているときはバッテリー寿命予測情報を当該バッテリーを所有するバッテリーユーザー側端末にネットワークを介して伝送するバッテリー寿命予測情報伝送手段として機能させることを特徴とする。
【００３４】
請求項１２記載の発明においては、バッテリー管理サーバーにより再生バッテリーの寿命予測が、使用中の再生バッテリーの監視データと事前にバッテリー管理サーバーに記憶されている寿命予測データとを照合させることによって、迅速に把握することができるので、再生バッテリーの使用中、この再生バッテリーは、あとどのくらいの期間使用することができるかがおおよそ把握することができるため、事前に次の再生バッテリーを準備することが可能となり、再生バッテリーの急激な劣化等によって負荷に悪影響を及ぼすという問題を未然に回避することができる。
【発明の効果】
【００３５】
本発明は、例えば、電池電力貯蔵装置の電源として使用していたバッテリーが、性能の劣化により継続使用が困難となって中古バッテリーと判断された際、これを再生処理して市場に流通させる場合、前記中古バッテリーの供給者およびこの中古バッテリーを再生処理する再生事業者と、前記再生バッテリーを使用するバッテリーユーザーは、それぞれ自ら所有，処理可能，必要とするバッテリーやその属性データを、バッテリー管理サーバーにネットワークを介してアクセスすることにより容易に開示したり、検索することができる。一方、バッテリー管理サーバーの管理事業者は、前記バッテリー関係者の諸条件を勘案して、回収した中古バッテリーを再生事業者に業として再生処理させたり、再生処理した再生バッテリーをバッテリーユーザーに賃貸等により供給できるようにすることはもとより、前記バッテリー管理サーバーにて管理する中古バッテリーの供給情報をはじめ、バッテリーユーザーが必要とする再生バッテリー、更には、中古バッテリーを最適に再生処理する再生事業者の有・無情報は、すべて前記バッテリー管理サーバーにより一元的に管理し、かつ、処理することができる。この結果、これまでのように中古バッテリーを単なる廃棄物として処分していた場合と全く異なり、バッテリー管理サーバーの管理者自身が、ネットワークを介してバッテリー管理サーバーに登録したバッテリー関係者間において、中古バッテリーを再生・流通させるための諸条件をバッテリー管理サーバーにて管理する諸情報として一元化させ、再生製品として活用することができる事業を立ち上げることができるようにしたので、中古バッテリーを効率よく回収して再生処理し、これを新品のバッテリーと同様、市場に流通させることにより、例えば、分散型電源の電池電源として経済的に活用することができる。このように、本発明はこれまで廃棄処分される運命にあった中古バッテリーを、廃棄処理費用等を払って処分する場合に比べて、再生処理して再利用を図ることにより、再生バッテリーのユーザーは、新品のバッテリーに比べてその導入が迅速・容易に、かつ、経済的に行えるため、エネルギー費用を良好に低減できるという利点を備えている。
【００３６】
また、本発明は、例えば、電力会社や大規模な事業所，店舗等において、非常用、あるいは、昼間の電力需要ピーク時等の関係から使用している電池電力貯蔵装置のバッテリーが、性能の劣化により継続使用が困難となって中古バッテリーと判断された場合、これを回収し再利用可能に再生処理し、再生バッテリーとしてインターネット等のネットワーク手段を介して開拓したコンビニエンス・ストア，スーパーマーケット等比較的小規模な小売店舗等において使用されている分散型電源の一つで商用電源と併用可能な電池電力貯蔵装置の電源として再利用することができるとともに、前記再生バッテリーが使用中において劣化・損傷等にて継続使用が困難な場合は、早急に回収して別の再生バッテリー等と交換することはもとより、回収したバッテリーが再生処理可能な場合は、再び再生処理して市場に戻すことができるようにしたので、中古バッテリーの廃棄量を容易に軽減できる。この結果、限りある資源の有効活用化が良好に図れるとともに、中古バッテリーの処分に伴う環境負荷と処理費用の負担を確実に低減することが可能となる。特に、本発明は、トラック，バス，フォークリフト等輸送機器に使用されているバッテリーに適用することにより、これまで大量に廃棄処分等していた中古バッテリーの大部分を、再生利用することができるので、利便である。
【００３７】
更に、本発明においては、前記のように、昼間の電力需要ピーク時等の関係から使用されている電池電力貯蔵装置の電源であるバッテリーが、性能の劣化により継続使用が困難となって中古バッテリーと判断された場合、これを回収して再利用可能に再生処理した後、この再生バッテリーを、電力需要ピーク時対策の関係から使用している電池電力貯蔵装置を所有している、例えば、コンビニエンス・ストア等の所有者であるバッテリーユーザーに電池電力貯蔵装置の電源として賃貸等することにより、新品のバッテリーに比べて経済的に導入でき利便である。また、前記再生バッテリーはその運転状況を、必要に応じてバッテリーユーザー側に設置したバッテリー監視手段によって常時監視し、監視データをネットワークを介してバッテリー管理サーバーに伝送し、この監視データを認識することにより、バッテリー管理サーバーの管理事業者は、バッテリーユーザーに設置した再生バッテリーの電圧，電流，温度等再生バッテリーの運転中における劣化状況等を判断するためのデータ（情報）を確実に、かつ、容易に把握することができるので、例えば、再生バッテリーを利用するバッテリーユーザーは、再生バッテリーの管理によりバッテリー自体の機能低下に伴い負荷等が悪影響を受けるという問題を未然に、かつ、良好に回避することができる。しかも、前記再生バッテリーの運転状況は、バッテリー管理サーバーにリアルタイム、あるいは、定期的に伝送されるため、バッテリー管理サーバーにおいて前記伝送される再生バッテリーの監視データをチェックすることにより、管理事業者は、容易に再生バッテリーの運転状況を知ることが可能となり、例えば、バッテリーユーザーが再生バッテリーを電源としている電池電力貯蔵装置の点検等を怠ったとしても、監視データにより再生バッテリーの運転状況が的確に把握でき、これにより、再生バッテリーの交換時期等の問題等をバッテリーユーザーは、再生バッテリーを使用することによる管理のわずらわしさから、容易に開放されるという利点も備えている。
【００３８】
また、本発明においては、中古バッテリーとか、中古バッテリーを再生処理した再生バッテリーの属性データを、前記中古・再生バッテリーに関係する中古バッテリー供給者ＩＤや再生事業者ＩＤとともにデータベース化して、中古バッテリー供給情報や再生バッテリーの管理情報を自動作成するための手段がバッテリー管理サーバーに具備されているので、例えば、中古バッテリー供給者においては、中古バッテリー供給情報を閲覧することにより、バッテリー市場がどの仕様の中古バッテリーを求めているのか、あるいは、自分が保有している中古バッテリーが市場で必要とされているのか、更には、受け入れられることができる中古バッテリーなのか、また、再生バッテリーを必要とするバッテリーユーザーにおいては、自分が希望する再生バッテリーが市場に流通しているか否かについては、すべて、バッテリー管理サーバーにアクセスすることにより、前記「中古バッテリー供給情報」、あるいは、「バッテリー管理情報」を閲覧することによって容易に確認することができるため、即ち、自分にとって必要なバッテリーを直ちに入手したり、再生処理したバッテリーを容易に利用することができ、利便である。
【００３９】
更に、本発明においては、再生バッテリーの運転状況をバッテリー監視手段にて監視し、その監視（検出）データをバッテリー管理サーバーに伝送し、このサーバー上で再生バッテリーの監視情報として表示することはもとより、バッテリー管理サーバーにバッテリー交換情報とは別に、事前に監視データをベースとして、例えば、再生バッテリーの充電時においてどのくらいの時間が経過したら過電圧の検出が行われるかを把握しておき、前記過電圧の検出値を再生バッテリーの寿命予測を行うためのデータベースとして事前に作成し、前記監視データがバッテリー管理サーバーに伝送される毎に、監視データと前記寿命予測のデータベースとを照合し、監視データの内容に対応して再生バッテリーがあとどれくらいの期間使用できるかということが容易に予測することが可能となる。この寿命予測結果をバッテリーユーザーや再生事業者等に再生バッテリーの寿命予測情報として伝送することにより、バッテリーユーザー等は、次のバッテリーをいつ頃準備すればよいかを事前に知ることが可能となり、再生バッテリーの急変する機能低下に対し未然に、かつ、容易に対処でき、利便である。
【００４０】
また、本発明においては、バッテリーの再生・流通システムを実行するためのバッテリー管理サーバーのプログラムとして、このプログラムをバッテリー管理サーバーのコンピュータに具備されている磁気ディスク，光ディスク，半導体メモリ等の記録媒体に格納し、前記バッテリー管理サーバーのコンピュータシステムにより、各バッテリー関係者側の端末において、種々のバッテリー情報が一目瞭然に把握できることはもとより、伝送手段を介して所定のバッテリー情報の提供・収集が容易に行えるため、再生バッテリーの市場への流通およびその情報の伝達が迅速、かつ、経済的に行うことができるので、中古バッテリーの再利用化が容易に促進でき、利便である。
【発明を実施するための最良の形態】
【００４１】
以下、本発明の実施例を図１ないし図１０によって説明する。図１は本発明のバッテリー再生・流通システムの一実施例を示す概略構成図である。図１において、１は本発明システムを運用するためのバッテリー管理サーバー（以下、サーバーという）を示し、２は性能劣化により継続使用が困難となって使用機器から取り外した中古バッテリーを所有している中古バッテリーの供給者（以下、バッテリー供給者という）、３は中古バッテリーを再生処理する再生事業者、４は中古バッテリーを再利用可能に再生処理した再生バッテリーを使用するバッテリーユーザー、５は前記サーバー１を維持管理する管理事業者を示し、前記バッテリー供給者２，再生事業者３，バッテリーユーザー４，管理事業者５は、それぞれネットワーク６を介してサーバー１にアクセスしたり、サーバー１からの送信を受信することができる端末２１，３１，４１，５１をそれぞれ備えて連系されており、これら各端末２１，３１，４１，５１は周知の例えば、パーソナルコンピュータにより構成されている。
【００４２】
次に、前記サーバー１の機能について説明する。このサーバー１は、基本的にバッテリー関係者および各種中古・再生バッテリーのデータベースを構築するための機能と、再生バッテリーの運転情報や前記データベースを活用しての各種バッテリー情報の開示および所要のバッテリー関係者（バッテリー供給者２，再生事業者３，バッテリーユーザー４，管理事業者５）にそれぞれ個別にバッテリー情報を送信したり受信することができる機能と、バッテリー監視手段により検出した再生バッテリーの運転状況を示す監視データを表示したり、前記監視データおよびこの監視データをベースにして再生バッテリーの交換時期等を事前に把握してバッテリー関係者に伝送する機能と、更に、運転中の再生バッテリーの寿命を事前に予測するとともに、その寿命予測情報を前記バッテリー交換情報と同様に前記バッテリー関係者に伝送する機能等を具備して構成されている。
【００４３】
そして、前記サーバー１には、前記各種機能を作動させるための具体的な手段が、それぞれ図１に示すように具備されている。また、図１に示すサーバー１には、バッテリー供給者２，再生事業者３，バッテリーユーザー４の各端末２１，３１，４１のバッテリー属性データ入力手段２１ａ，３１ａ，４１ａから入力されるバッテリー属性データの受信手段（図示せず）が具備されている。これら各手段の実行はそれぞれプログラム化されて、該プログラムを格納したサーバー１側の図示しないコンピュータにより実現されるものである。つづいて、サーバー１に組み込まれた各種手段について説明する。はじめに、図１において、バッテリー関係者登録手段１１は、バッテリー供給者２，再生事業者３，バッテリーユーザー４が、それぞれサーバー１に個々に登録することができる手段であり、具体的には前記バッテリー供給者２等がサーバー１にアクセスして自己の登録手続を行い、前記登録手続が受付けられるとサーバー１は、各登録者に対してＩＤ（ＩＤＥＮＴＩＦＩＣＡＴＩＯＮ）番号を付して登録し、各バッテリー関係者の管理を行うものである。
【００４４】
今、例えば、バッテリー供給者２のサーバー１への登録を行う場合は、バッテリー供給者側端末２１の中古バッテリー属性データ入力手段２１ａを操作して図３に示す「中古バッテリー供給者」のフォーマットをサーバー１から自らの端末２１に呼び出して表示し、図３に示すフォーマットに記載されている所定事項（供給者名，住所，電話番号，………中古バッテリーの型式，容量，台数，使用年数）を順次入力し、サーバー１に送信する。
【００４５】
前記図３に示す「中古バッテリー供給者」のフォーマットに所定事項が入力されると、サーバー１は前記のように、バッテリー供給者２の登録を行うとともに、バッテリー供給者２および供給される中古バッテリーにそれぞれＩＤ番号（中古バッテリー供給者ＩＤ，中古バッテリーＩＤ）を付して、バッテリー供給者２，および中古バッテリーの登録・管理を行うものである。この結果、例えば、中古バッテリーの種類とか、その中古バッテリーを保有しているバッテリー供給者２を知りたい場合、管理事業者５，再生事業者３，バッテリーユーザー４は、自らの端末を操作することによりサーバー１にアクセスして、サーバー１に登録されている中古バッテリーを検索するか、あるいは、サーバー１に開示されている後述する「中古バッテリー供給情報」を閲覧することにより、バッテリー供給者２と、該バッテリー供給者２が保有、あるいは、供給した中古バッテリーの情報を容易に知る（確認する）ことができる。
【００４６】
つづいて、再生事業者３のサーバー１への登録について説明する。この再生事業者３は中古バッテリーを再利用可能に処理する事業者であり、サーバー１に登録することにより、自らが再生処理することができる中古バッテリーの型式（種類等）を明らかにするものである。登録に当っては、バッテリー供給者２の場合と同様に、端末３１の再生バッテリー属性データ入力手段３１ａを操作してサーバー１に開示されている、例えば、図４に示す「再生事業者」のフォーマットを自らの端末３１に呼び出して表示し、図４のフォーマットに所定事項を入力し、サーバー１に送信する。
【００４７】
即ち、図４に示すように、事業者名，住所，電話番号，………処理可能なバッテリーの型式，容量，メーカ………等を入力し、サーバー１に送信すると、サーバー１は前記のように、再生事業者３にＩＤ番号（再生事業者ＩＤ）を付して該再生事業者３および再生事業者３が再生処理可能な中古バッテリーの種類等の登録・管理を行うものである。
【００４８】
また、バッテリーユーザー４のサーバー１への登録についても、前記バッテリー供給者２，再生事業者３の登録と同様の処理を行う。即ち、バッテリーユーザー４は端末４１のバッテリー属性データ入力手段４１ａを操作し、サーバー１に開示されている図５に示す「バッテリーユーザー」のフォーマットを呼び出し、所定事項を入力して、サーバー１に送信する。
【００４９】
即ち、図５に示すように、ユーザー名，住所，電話番号，………使用しているバッテリーの製造メーカ，型式，容量，台数等を入力してサーバー１に送信すると、即ち、前記「バッテリーユーザー」のフォーマットに所定事項を入力すると、サーバー１は、バッテリーユーザー４にＩＤ番号（バッテリーユーザーＩＤ）を付与するとともに、前記バッテリーユーザー４が再生バッテリーを使用している場合は、その再生バッテリーにもＩＤ番号（再生バッテリーＩＤ）を付して登録・管理を行うものである。
【００５０】
前記のように、バッテリー関係者のサーバー１への入力操作は、バッテリー供給者２においては、端末２１により前記中古バッテリー属性データ入力手段２１ａを操作して実行し、また、再生事業者３は端末３１により再生バッテリー属性データ入力手段３１ａを操作して実行し、更に、バッテリーユーザー４は端末４１により前記バッテリー属性データ入力手段４１ａを操作して実行し、これら各入力手段２１ａ，３１ａ，４１ａによって入力された所定事項は、ネットワーク６を介してサーバー１の図示しない受信手段により受信され、各バッテリー関係者毎と、バッテリー関係者に関係する各種バッテリーとにそれぞれＩＤ番号を付して登録されることは云うまでもない。また、前記サーバー１に登録したバッテリー供給者２，再生事業者３，バッテリーユーザー４がそれぞれ具備している前記各端末２１，３１，４１には、自らがサーバー１に入力した各種バッテリー情報（例えば、中古バッテリーとか再生バッテリーの情報等）をはじめ、サーバー１から発信（伝送）される各種バッテリー情報を、それぞれサーバー１から個々にネットワーク６を介して受信・表示させるためのバッテリー情報受信・表示手段２１ｂ，３１ｂ，４１ｄが、個々に具備されていることは当然である。
【００５１】
つづいて、図１に示す、サーバー１に組込まれているバッテリー属性データ記憶手段１２について説明する。このバッテリー属性データ記憶手段１２には、前記した「中古バッテリー供給者」のフォーマットに記載されているバッテリー供給者２が提供可能な中古バッテリーの属性データ（製造メーカ，型式，容量，台数，使用年数，………等）と、「再生事業者」のフォーマットに記載されている再生事業者３が再生処理することができる中古バッテリーの属性データと、中古バッテリーを再生処理した再生バッテリーの各属性データ（図４および図９のフォーマットに示す再生処理可能、あるいは、再生処理したバッテリーの仕様参照）と、更に、「バッテリーユーザー」のフォーマットに記載されているバッテリーユーザー４が現在使用している再生バッテリーの属性データ（図５のフォーマットに示す再生バッテリーの仕様参照）とを、それぞれ中古バッテリー供給者ＩＤ，再生事業者ＩＤ，バッテリーユーザーＩＤとともに、各バッテリー毎に取り込んでデータベースとして記憶されている。なお、必要に応じて管理事業者５、あるいは、管理事業者５の依頼を受けて保管している再生バッテリーについても、管理事業者５が端末５１の入力手段５１ａを操作してサーバー１に入力した場合においても、再生バッテリーのデータとして記憶されている。
【００５２】
前記サーバー１においては、前記バッテリー供給者２から中古バッテリーの属性データが、サーバー１に入力されてバッテリー属性データ記憶手段１２に記憶されると、例えば、サーバー１は前記記憶されたバッテリー属性データに基づいて、図６に示す「中古バッテリー供給情報」を、サーバー１に組込んだ中古バッテリー情報抽出手段１８により中古バッテリーの属性データを抽出して自動作成し、これをネットワーク６を介してバッテリー関係者等の閲覧に供する。前記「中古バッテリー供給情報」には、図６のフォーマットに示すように、バッテリー供給者２からサーバー１に入力される中古バッテリーの仕様，中古バッテリーＩＤ，中古バッテリー供給者ＩＤ等が記載されている。また、図８に示す「バッテリー管理情報」は、前記「中古バッテリー供給情報」の作成と同様に、サーバー１に組み込んだ再生バッテリー情報抽出手段１９により、バッテリー属性データ記憶手段１２に記憶されている再生事業者３が中古バッテリーを再生処理した再生バッテリーの属性データを抽出して自動作成する。なお、前記「中古バッテリー供給情報」，「バッテリー管理情報」は、バッテリー供給者２や再生事業者３が中古バッテリー、あるいは、再生バッテリーの諸情報をサーバー１に入力する都度、サーバー１への登録用として作成する、「中古バッテリー供給者」，「バッテリー再生チェックリスト」の各フォーマットに記載されている中古・再生バッテリー毎の属性データを基にして、管理事業者５自身が必要に応じて端末５１の入力手段５１ａを操作して、前記「中古バッテリー供給情報」，「バッテリー管理情報」を作成して、これをネットワーク６を介してサーバー１に開示するようにしてもよい。
【００５３】
また、前記とは別に、バッテリーユーザー４が現在使用しているバッテリーとは異なる他の仕様の再生バッテリーを他の電源装置等に必要とする場合は、例えば、図７に示す「バッテリーユーザー要求バッテリーリスト」をバッテリー属性データ入力手段４１ａにより作成し、これをサーバー１に入力（バッテリーユーザー４が行う）すると、この「バッテリーユーザー要求バッテリーリスト」のフォーマットに記載されている要求バッテリーの仕様自体も、バッテリーユーザー４が要求（必要と）するバッテリーの属性データとして、前記サーバー１のバッテリー属性データ記憶手段１２にバッテリーユーザーＩＤとともに記憶される。そして、前記「バッテリーユーザー要求バッテリーリスト」には、図７のフォーマットに示すように、バッテリーユーザーＩＤをはじめユーザー名，住所，バッテリーの仕様等が記載されている。バッテリーユーザー４によるサーバー１への「バッテリーユーザー要求バッテリーリスト」の入力が終ると、サーバー１に送信され、サーバー１は前記「バッテリーユーザー要求バッテリーリスト」に記載されている要求バッテリーの検索を後述する属性データ照合手段１３によって行う。
【００５４】
次に、サーバー１に組込まれた前記属性データ照合手段１３について説明する。前記属性データ照合手段１３は、例えば、バッテリー属性データ記憶手段１２に記憶されているバッテリー毎の属性データと、バッテリーユーザー４が自らの端末４１のバッテリー属性データ入力手段４１ａを操作してサーバー１にアクセスし、前記「バッテリーユーザー要求バッテリーリスト」により要求（検索）したバッテリーの属性データとを照合して一致した場合、前記バッテリー属性データ記憶手段１２に記憶されている当該バッテリーの属性データに「フラグ」を付して前記バッテリー属性データ記憶手段１２に記憶させるための手段である。即ち、バッテリーユーザー４が必要とする中古バッテリー、あるいは、再生バッテリーの属性データが、バッテリー属性データ記憶手段１２に記憶されている中古バッテリー，再生バッテリーの属性データの中に存在しているか該属性データを順次読み出し、それをバッテリーユーザー４が必要とするバッテリーの属性データと照合して一致した場合、その属性データ自体に「フラグ」を付して再度バッテリー属性データ記憶手段１２に記憶させる。また、前記フラグを付した属性データが中古バッテリーの場合は、前記バッテリー属性データ記憶手段１２より前記中古バッテリーを再生事業者３が再生処理することができる中古バッテリーの属性データが記憶されているかを読み出し照合して一致すれば、その中古バッテリーの属性データに「フラグ」を付して、前記同様バッテリー属性データ記憶手段１２に記憶させるための機能も具備している。
【００５５】
前記属性データ照合手段１３は、例えば、バッテリーユーザー４が自ら必要とする中古、あるいは、再生バッテリーを検索する場合、前記「バッテリーユーザー要求バッテリーリスト」を作成し、これをサーバー１にネットワーク６を介して入力すると、前記属性データ照合手段１３が、前記バッテリーユーザー４の検索操作により作動し、バッテリー属性データ記憶手段１２に記憶されている各バッテリーの属性データを読み出し、当該バッテリーの有・無と、前記読み出したバッテリーの属性データが中古バッテリーであれば、そのバッテリーを再生処理するに適した再生事業者３が存在するか、否かを照合（検索）し、当該検索に該当するバッテリーの属性データがある場合は、その属性データをフラグを付してバッテリー属性データ記憶手段１２に記憶させるための手段である。
【００５６】
つづいて、サーバー１に組み込まれている属性データ伝送手段１４は、バッテリーユーザー４が必要とする中古、あるいは、再生バッテリーの属性データと、バッテリー属性データ記憶手段１２に中古バッテリー供給者ＩＤ，再生事業者ＩＤとともに記憶されているバッテリーの属性データとが、属性データ照合手段１３の照合により一致してバッテリー属性データ記憶手段１２にフラグを付して記憶させたとき、あるいは、再生事業者３が再生処理することができる中古バッテリーの属性データ（バッテリー属性データ記憶手段１２に記憶されている）と、前記バッテリーユーザー４が必要とする中古バッテリーの属性データとが属性データ照合手段１３による照合により一致して、前記同様にバッテリー属性データ記憶手段１２にフラグを付して記憶させたときは、バッテリー属性データ記憶手段１２から当該属性データに該当するバッテリーを読み出して、当該中古、あるいは、再生バッテリーを必要とするバッテリーユーザー４側端末４１のバッテリー情報受信・表示手段４１ｄにバッテリーユーザー４が必要とするバッテリーが存在することを示す当該バッテリーの属性データの情報を、また、再生事業者側端末３１のバッテリー情報受信・表示手段３１ｂには、自らが再生処理を手掛けることができる中古バッテリーが存在し、かつ、再生処理の必要時当該再生事業者３に再生処理を依頼するという予告情報をそれぞれ送信するための手段である。なお、バッテリーユーザー４が必要とする中古、あるいは、再生バッテリーが、前記属性データ照合手段１３にて検索できないとき（当該バッテリーの属性データが記憶されていないとき）は、例えば、「該当するバッテリーはサーバー１に記憶されていない」というメッセージを属性データ伝送手段１４にてバッテリーユーザー４に送信できることは云うまでもない。
【００５７】
これは、バッテリーユーザー４が必要とする中古・再生バッテリーの「有・無」は、サーバー１にアクセスすることにより直ちにその有・無が確認できるとともに、中古バッテリーの再生については、その再生事業者３は誰が適当かを直ちに知ることができるための手段である。なお、バッテリーユーザー４が必要とするバッテリーが見つかった場合、管理事業者５はバッテリーユーザー４および再生事業者３と調整して次の行動（中古バッテリーの再生依頼、あるいは、再生バッテリーの提供手段）に移るということは云うまでもない。
【００５８】
次に、サーバー１に組み込まれている警報伝送手段１５について説明する。この警報伝送手段１５は、例えば、バッテリーユーザー４側に設置した電池電力貯蔵装置に使用している再生バッテリーの運転状況を監視しているバッテリー監視手段４１ｂにより検出した前記再生バッテリーの監視データが、例えば、事前に設定した設定値から逸脱している場合、サーバー１からネットワーク６を介して該当するバッテリーユーザー４側の端末４１にバッテリー交換情報を自動送信することにより、バッテリーユーザー４に、現在使用している再生バッテリーを事前に交換する時期が到達したことを知らせるためのメッセージを伝送するための手段である。
【００５９】
前記バッテリー交換情報の送信は、サーバー１上において、例えば、次の条件に該当したとき、サーバー１より当該再生バッテリーを所有するバッテリーユーザー４側端末４１に送信が行われる。即ち、
（１）再生バッテリーの充電時における過電圧検出、即ち、充電電圧が事前に設定した時間より早く高い電圧を検出した場合、あるいは、放電時における電圧低下検出、即ち、放電終止電圧が事前に設定した時間より早く低い電圧を検出した場合。
（２）再生バッテリーの充電時において、充電電流が事前に設定した電流値より低い電流値を検出した場合。
（３）再生バッテリーの充・放電時における温度が、事前に設定した温度範囲から逸脱した場合。
なお、前記（１）〜（３）に示す再生バッテリーの各交換条件は、事前に複数の再生バッテリーの使用状態を必要回数テストして、異常と判断する数値を割り出して設定することは当然である。
【００６０】
そして、例えば、前記（１）〜（３）に示す設定条件の全部、あるいは、いづれか２つの設定条件から逸脱したときは、バッテリーを交換するための情報として、サーバー１からバッテリーユーザー４側端末４１にバッテリー交換の警報を自動的に伝送する。また、前記（１）〜（３）のいづれか１つの設定条件から逸脱したときは、サーバー１よりバッテリーユーザー４側端末４１に、再生バッテリーの寿命予測としてその交換時期が近いことを示すメッセージとして、例えば、「バッテリーのメンテナンスをして下さい」というような、バッテリーの点検を促すためのメッセージを伝送し、バッテリーユーザー４に再生バッテリーの点検を奨め、再生バッテリーが急速に劣化して負荷等に悪影響を与えないようにするためのものである。            
【００６１】
図１に示すサーバー１に設けた監視データ表示手段１６は、前記したバッテリーユーザー４が使用している再生バッテリーをバッテリー監視手段４１ｂにて検出した監視データをサーバー１の図示しない表示部（ディスプレイ）に表示するもので、この場合、複数のバッテリーユーザー４からサーバー１に送信される再生バッテリーの監視データは、例えば、バッテリーユーザー４毎にそれぞれバッテリーユーザーＩＤと使用している再生バッテリーＩＤをＩＤ番号順に順次表示するか、あるいは、バッテリーユーザー４のＩＤ番号をサーバー１に入力することにより、所要バッテリーユーザー４の再生バッテリーをＩＤ番号順に監視データを表示できるようにするか、更には、表示する時期をリアルタイム、または、一定時間毎に表示するかについては、前記サーバー１に用いる表示手段のプログラムを任意に選択して、サーバー１の図示しない表示部にて表示するようにすればよい。また、前記監視データ表示手段１６に表示される監視データは、必要に応じて、サーバー１から監視データ伝送手段１６ａによって、当該バッテリーユーザー４や再生事業者３の各端末４１，３１に具備されているバッテリー情報受信・表示手段４１ｄ，３１ｂに再生バッテリーの監視情報として自動送信することにより、バッテリーユーザ−４，再生事業者３は再生バッテリーの運転状況を容易に把握することができる。
【００６２】
なお、前記監視データのチェックについては、原則として本例ではサーバー１を管理している管理事業者５が担当することになるが、実際には、サーバー１上において、前記監視データがバッテリー交換情報として警報伝送手段１５にて警報を送信する条件のデータであれば、サーバー１より該当するバッテリーユーザー４にバッテリー交換情報が自動的に送信されることは云うまでもない。なお、監視データは必要に応じてサーバー１から管理事業者５側端末５１に転送し、管理事業者５が自身の端末５１に具備したバッテリー情報受信・表示手段５１ｃによりチェック（把握）するようにしてもよい。
【００６３】
次に、図１に示すバッテリー寿命予測手段１７について説明する。このバッテリー寿命予測手段１７は、再生バッテリーの監視データのうち、例えば、再生バッテリーの充電時とか放電時に検出される電圧が、事前に設定した再生バッテリーの正常運転状態時の設定条件から逸脱した場合、再生バッテリーは、あとどれくらいの期間使用することができるかを予測するようにしたものである。前記再生バッテリーはその使用可能日数を事前に予測することにより、次に使用する再生バッテリーや新品のバッテリーをいつ頃準備したらよいかという１つの目安とするためのものである。
【００６４】
そして、前記寿命予測を判断するためのデータとしては、例えば、再生バッテリーの充電時における過電圧検出値、あるいは、放電時における電圧低下検出値に到達するまでの時間が、事前に正常時において設定した時間より早く達した場合、即ち、正常時に設定した時間に対して半分の時間で到達したと仮定した場合、再生バッテリーはあとどれくらいの期間使用できるかということを事前に複数の再生バッテリーによりテスト等を行って把握する。前記テスト等にて把握した過電圧検出値，電圧低下検出値に到達する時間は、例えば、１日づつ遅・速する場合のデータとして事前に準備することは当然である。また、前記電圧に代えて再生バッテリーの電流値，温度，充電時間，放電積算量の低減値等が事前に設定した設定値に対して、どれくらいの時間で到達するかを事前にテスト等を行って把握した日数のデータから、再生バッテリーがあと何日ぐらい使用できるかというデータを準備して、再生バッテリーの寿命を予測するようにしてもよいことは勿論である。
【００６５】
前記事前に把握した寿命予測に用いる電圧や電流値等のデータによって、再生バッテリーの電圧等が前記寿命予測を把握する値に達した場合、あと何日ぐらい使用可能かということを暫定的に表すデータをサーバー１に事前に記憶させておき、監視データがサーバー１に伝送される毎に、監視データにて表示される電圧等のデータと、サーバー１に記憶させた使用可能日数を表すデータとを比較照合手段にて比較照合し、両データが一致した場合、その一致したデータに示される前記使用可能日数を再生バッテリーの暫定使用日数として、サーバー１の図示しない表示部に前記使用日数を表示させ、この表示を管理事業者５が認識することにより、再生バッテリーの寿命を予測するものである。
【００６６】
前記表示部に表示された再生バッテリーの暫定使用日数は、再生バッテリーの寿命予測情報としてバッテリー寿命予測情報伝送手段１７ａにより、該当するバッテリーユーザー４側端末４１に送信して表示させることにより、バッテリーユーザー４は、例えば、現在使用している自己の再生バッテリーがあとどれくらいの日数（期間）使用できるかを容易に把握することができる。これにより、前記バッテリー交換情報の送信と同様に、再生バッテリーをいつ頃交換すればよいかが事前に把握できるので利便である。なお、前記の寿命予測は、あくまで再生バッテリーがあとどれくらいの期間使用できるかをはかるための一つの目安であり、これは一概に断定することはできないものの、多分あと何日ぐらいは使用できるという予測を行うので、バッテリー自体が何等かの理由で予測した日数以前に急に過放電したり、急速に劣化したりして、使用できなくなることがあるということは当然考えられるので、この寿命予測を過信すべきものでないことは云うまでもない。
【００６７】
つづいて、前記サーバー１を機能させるために、サーバー１の図示しないコンピュータには、該コンピュータを次に示す各手段として機能させるためのサーバー１駆動用のプログラムが格納されている。
（１）バッテリー関係者（バッテリー供給者２，バッテリーユーザー４，再生事業者３）の登録受付と、各バッテリー関係者のＩＤ番号付与および中古・再生バッテリーにＩＤ番号を付与するためのＩＤ番号発行手段とを有する、バッテリー関係者等の登録・管理を行うためのバッテリー関係者登録手段１１。
（２）バッテリー供給者２，再生事業者３，バッテリーユーザー４，管理事業者５の各端末２１，３１，４１，５１に対応して、これら端末から入力された中古バッテリー供給者ＩＤ，再生事業者ＩＤ，バッテリーユーザーＩＤや各バッテリーの属性データ，監視データ等のバッテリー情報を受信する受信手段。
（３）バッテリー供給者２側端末２１，再生事業者３側端末３１からサーバー１にて受信した中古又は再生処理したバッテリーの属性データを中古バッテリー供給者ＩＤ，再生事業者ＩＤとともにバッテリー毎に記憶するバッテリー属性データ記憶手段１２。
（４）バッテリーユーザー４側端末４１からサーバー１にて受信した現在使用している再生バッテリー、あるいは、必要とする中古または再生バッテリーの属性データと、バッテリー属性データ記憶手段１２に記憶されているバッテリー毎の属性データを読み出して前記サーバー１にて受信した属性データとを照合し、前記双方の属性データが一致した場合、一致した属性データに「フラグ」を付して前記バッテリー属性データ記憶手段１２記憶させる属性データ照合手段１３。
（５）前記属性データ照合手段１３による照合結果に基づき、バッテリー属性データ記憶手段１２にフラグを付して記憶させた中古、あるいは、再生バッテリーの属性データを中古バッテリー供給者ＩＤ，再生事業者ＩＤとともに読み出し、前記読み出したバッテリーの属性データに再生事業者ＩＤが付されている場合には、その属性データをバッテリーを必要とするバッテリーユーザーＩＤを持つバッテリーユーザー４側端末４１に、また、前記読み出した属性データに、再生処理を必要とする中古バッテリー供給者ＩＤが付されている場合には、その属性データを再生事業者ＩＤを持つ再生事業者３側端末３１にそれぞれ伝送する属性データ伝送手段１４。
（６）再生バッテリーの監視データを受信し、前記受信した監視データが事前に設定した所定の設定値を逸脱したとき、バッテリーユーザー４にバッテリー交換情報、あるいは、バッテリーのメンテナンス要求情報を伝送する警報伝送手段１５。
（７）バッテリーユーザー４側端末４１からサーバー１にて受信した監視データが、バッテリー寿命予測手段１７にて事前に設定した所定の設定値を逸脱したと判断されたとき、バッテリーの寿命予測情報をバッテリーユーザー４側に伝送するバッテリー寿命予測情報伝送手段１７ａ。
なお、必要に応じて前記プログラムには、サーバー１のコンピュータを、バッテリー属性データ記憶手段１２に記憶されたデータベースに基づいて、中古バッテリー情報抽出手段１８により「中古バッテリー供給情報」を作成してネットワーク６上に開示したり、バッテリー属性データ記憶手段１２に記憶されたデータベースに基づいて、再生バッテリー情報抽出手段１９により再生バッテリーに関する「バッテリー管理情報」を作成しこれをネットワーク６上に開示する機能や、再生バッテリーの監視データを、監視データ表示手段１６にて表示するとともに、前記サーバー１からバッテリーユーザー４，再生事業者３の各端末４１，３１に具備したバッテリー情報受信・表示手段４１ｄ，３１ｂにそれぞれ自動配信するための監視データ伝送手段１６ａを機能させるプログラムが含まれていることは云うまでもない。
【００６８】
次に、各バッテリー関係者についてその概要を説明する。はじめに、バッテリー供給者２は、サーバー１の「中古バッテリー供給者」のフォーマットに、中古バッテリー属性データ入力手段２１ａを用いて提供する中古バッテリーが発生した都度、中古バッテリー情報を入力すると、サーバー１が中古バッテリーＩＤを付してバッテリー属性データ記憶手段１２に中古バッテリーのデータベース（バッテリー属性データ）として記憶する。なお、中古バッテリーの現物は、例えば、バッテリーユーザー４との調整がつき次第再生事業者３の事業所に搬送する。本実施例では、管理事業者５からの指示にて搬送する。
【００６９】
再生事業者３においては、サーバー１の「再生事業者」のフォーマットに、再生バッテリー属性データ入力手段３１ａを用いて自らが再生処理することができるバッテリーの属性データを入力すると、このデータは再生事業者ＩＤを付してサーバー１のバッテリー属性データ記憶手段１２に再生事業者３のデータベース（バッテリー属性データ）として記憶される。
【００７０】
また、前記再生事業者３は、中古バッテリーの再生処理状況を示すために、例えば、図９に示す「バッテリー再生チェックリスト」を用いて再生工数・再生費用，再生作業負荷，試験成績表作成等に関する事項を中古バッテリーの再生処理の都度サーバー１に再生バッテリー属性データ入力手段３１ａを用いて入力すると、中古バッテリーは再生処理された再生バッテリーとしてＩＤ番号が付されて登録される。この結果、サーバー１の管理者（本例は、管理事業者５）は、中古バッテリーの再生処理を依頼する場合、前記の状況を把握しながら再生事業者３が選択できるため、再生処理作業を効率的に行うことができる。
【００７１】
バッテリーユーザー４においては、サーバー１の「バッテリーユーザー」のフォーマットに、バッテリー属性データを入力するためのバッテリー属性データ入力手段４１ａを用いて、自ら使用している再生バッテリーの属性データを入力すると、このデータに使用している再生バッテリーのＩＤ番号（再生バッテリーＩＤ）を付してバッテリー属性データ記憶手段１２にバッテリーユーザー４のデータベース（バッテリー属性データ）として記憶される。また、バッテリーユーザー４は、自己が必要とするバッテリーについては、サーバー１に開示された図６に示す「中古バッテリー供給情報」、図８に示す再生バッテリーの「バッテリー管理情報」を端末４１により閲覧し、必要とするバッテリーが前記「中古バッテリー供給情報」等にあれば、管理事業者５に連絡することにより、例えば、中古バッテリーの場合は再生処理後に、既に、再生処理済みの再生バッテリーであれば、必要とするバッテリーを随時入手することが可能となる。
【００７２】
そして、図１，２において、バッテリーユーザー４としては、一般に分散型電源として、例えば、夜間に余剰電力を貯蔵し、昼間の電力需要ピーク時等に際して商用電源７０（図２参照）と併用して、前記貯蔵したバッテリーの電力を所定の負荷７１に供給するようにした所謂、電池電力貯蔵装置７２（図２参照）を所有する場合が対象になる。そして、前記バッテリーユーザー４は、例えば、スーパーマーケット，コンビニエンス・ストア，業務用ビル，中・小規模事業所等の所有(管理)者が対象となるものの、本発明は、これらに限定することなく、再生バッテリー７３を使用することができるすべての事業に適用できることは云うまでもない。
【００７３】
前記電池電力貯蔵装置７２には、図２に示すように、再生バッテリー７３の運転状況を監視するためのバッテリー監視手段４１ｂが取付けられており、このバッテリー監視手段４１ｂは、再生バッテリー７３の運転状況の把握に必要な再生バッテリー７３の充・放電時の電圧をはじめ、電流，温度等を検出する。バッテリー監視手段４１ｂにより検出された前記監視データは、バッテリー監視手段４１ｂに接続した監視データ入力手段（通報装置）４１ｃからネットワーク６を介してサーバー１に伝送され、サーバー１に設けた監視データ表示手段１６にて視認可能に表示される。 
【００７４】
管理事業者５側端末５１には、サーバー１に格納した各運用プログラムの維持管理をはじめ、サーバー１自体の維持管理，賃貸等に係る契約・費用回収等を管理するための管理手段５１ｂが具備されている。また、管理事業者５は前記サーバー１を管理する他に、中古バッテリーの調達からこれを再生事業者３に再生処理を依頼したり、再生バッテリーをバッテリーユーザー４に賃貸するための契約・賃貸費用回収から、バッテリー供給者２，再生事業者３への費用支払等、本発明におけるバッテリーの再生・流通システムを業として運営する役割を担っている。更に、前記端末５１には、中古・再生の各バッテリーにおける属性データをベースに、必要に応じて中古・再生バッテリーの保有管理情報等を作成してサーバー１に開示するための入力手段５１ａも具備されている。
【００７５】
次に、本発明の動作について説明する。中古バッテリーを保有しているバッテリー供給者２，再生バッテリーを必要とするバッテリーユーザー４，中古バッテリーを再生処理する再生事業者３は、それぞれサーバー１に関係するバッテリー属性データを入力する。即ち、図３〜図５に示すサーバー１に設けられている「中古バッテリー供給者」，「再生事業者」，「バッテリーユーザー」の各フォーマットを用いて所定事項を入力すると、サーバー１は、各バッテリー関係者と、バッテリー関係者に関係する各バッテリーにそれぞれＩＤ番号を付して登録処理を行う。
【００７６】
バッテリー供給者２は、自らが保有している中古バッテリーの属性データ等をサーバー１に図３に示す「中古バッテリー供給者」のフォーマットを用いて登録し、また、再生事業者３は、自らが再生処理可能なバッテリーの属性データをサーバー１に図４に示す「再生事業者」のフォーマットを用いて登録し、更に、バッテリーユーザー４においては、図5に示す「バッテリーユーザー」のフォーマットを用いて使用している再生バッテリーの属性データ等をサーバー１に登録するとともに、前記の登録以外に自分が必要とするバッテリーがある場合には、サーバー１に図７に示す「バッテリーユーザー要求バッテリーリスト」のフォーマットを用いて、必要とするバッテリーの属性データ等を登録することにより、サーバー１に設けたバッテリー属性データ記憶手段１２には、前記中古・再生バッテリーの属性データが中古バッテリー供給者ＩＤ・再生事業者ＩＤとともにバッテリー毎に記憶される。
【００７７】
前記のように、サーバー１のバッテリー属性データ記憶手段１２に所要バッテリーの属性データが記憶された後、バッテリー供給者２，再生事業者３，バッテリーユーザー４が必要に応じて、サーバー１にアクセスして自らが必要とする中古・再生の各バッテリーの属性データが、前記バッテリー属性データ記憶手段１２に記憶されていると、サーバー１に設けた属性データ照合手段１３が作動し、該当バッテリーの属性データに「フラグ」等を付して、バッテリー属性データ記憶手段１２に一旦記憶するとともに、「フラグ」を付した属性データのバッテリーについては、属性データ伝送手段１４により、サーバー１にアクセスした当該バッテリー関係者の端末２１，３１，４１に具備したバッテリー情報受信・表示手段２１ｂ，３１ｂ，４１ｄにそれぞれ送信する。
【００７８】
この結果、バッテリーユーザー４においては、各バッテリーの属性データの伝送により、自分が必要とする中古・再生バッテリーの存在を端末４１にて容易に知ることができる。一方、バッテリー供給者２においても、自分が保有している中古バッテリーを必要とするバッテリーユーザー４がいることを端末２１により容易に確認することができる。更に、再生事業者３は、自分が再生処理することができる中古バッテリーが存在することも端末３１によって容易に確認することができる。
【００７９】
管理事業者５は、中古バッテリーの入手に際しては、ネットワーク６を介して中古バッテリーを保有しているバッテリー供給者２を知得することにより、中古バッテリーの供給を受けたり、バッテリー供給者２との直接交渉により、前記中古バッテリーの引取り量を決定し、この中古バッテリーが再利用可能な場合は、再生処理するという契約等の約束事をバッテリー供給者２との間で締結する。
【００８０】
前記中古バッテリーを所有するバッテリー供給者２をサーバー１に登録すると、サーバー１は中古バッテリーの１台づつについて図６に示す「中古バッテリー供給情報」をサーバー１に設けた中古バッテリー情報抽出手段１８によって自動作成し、サーバー１に開示する。これにより、中古バッテリーは１台ごとにバッテリーＩＤが付されるとともに、中古バッテリーの経歴を「中古バッテリー供給情報」として適確に記録して登録処理することになり、中古バッテリーを勝手に遺棄したり、中古バッテリー自体の経歴の違いにより、再生処理に行き違いが生じるといった問題を未然に防ぐようにする。
【００８１】
前記サーバー１による図６に示す「中古バッテリー供給情報」の作成と併行して、管理事業者５はバッテリー供給者２から供給を受けた中古バッテリーを再生事業者３に再生処理を委託する。この場合、管理事業者５は中古バッテリーを各地のバッテリー供給者２から回収することもあるため、あらかじめ、バッテリー供給者２に依頼し、前記バッテリー供給者２の近くに自らが供給した中古バッテリーの再生に適した再生事業者３が存在しておれば、中古バッテリーはバッテリー供給者２から直接再生事業者３に搬送することも可能である。
【００８２】
前記のようにして、管理事業者５はサーバー１による「中古バッテリー供給情報」の作成が終了したら、例えば、その記録を回収した中古バッテリーに耐候性処理（雨水，塵埃等による汚損，破損を防止するために樹脂の袋に封入したり、樹脂にて被膜処理を施す等）を行って離反しないように貼着する。これにより、回収した中古バッテリーの登録（記録）処理は完了し、前記中古バッテリーを再生事業者３に引き渡し再生処理を委託する。なお、管理事業者５の許可を得て中古バッテリーを、バッテリー供給者２から再生事業者３に直接搬送するときは、バッテリー供給者２、あるいは、再生事業者３は、すでにサーバー１により作成されている「中古バッテリー供給情報」の記録を該当する中古バッテリーに貼着する。
【００８３】
管理事業者５から、中古バッテリーの再生処理を委託された再生事業者３は、中古バッテリーに貼着されている「中古バッテリー供給情報」に基づき、中古バッテリーの履歴等を確認した後、中古バッテリーを周知の再生処理手段を用いて簡易的に再生処理を行い、中古バッテリーの再生利用が可能か否かを判断する。
【００８４】
前記中古バッテリーの可否判断を行うのは、中古バッテリー自体がそれまでの使用状況において、すべてが再生できるとは限らないからである。そして、中古バッテリーの再生可否の判断を行う場合は、事前に回収した中古バッテリーの外観状況等を目視により確認してから周知の再生処理手段を用いて再生処理する。前記の目視作業は、例えば、中古バッテリーの電極が破損していたり、バッテリー内に異物が混入していたりしていて、回収した中古バッテリーをいきなり再生可否のチェックを行っても、大部分が再生不可と判断される可能性が高いからに他ならないからである。
【００８５】
前記中古バッテリーの再生可否を判断する場合の一例を説明する。この場合は、回収した中古バッテリーを、例えば、模擬負荷に接続し、この模擬負荷にて定電流放電を行い、そのときの端子電圧の変化を確認し、前記端子電圧が所定の設定値に達したとき指令を発する残存容量検出手段と、中古バッテリーの負荷側回路に挿入したシャント抵抗にて前記放電量を積算表示する放電量表示手段とを用いて、前記放電量の積算表示を、前記端子電圧が所定の設定値に達したとき発せられる指令にて停止したときの表示値を、前記端子電圧の設定値とバッテリーの公称容量とによって設定した判定基準値と比較し、例えば、判定基準値を満たしている場合は再生処理可能と判断し、判定基準値から外れている場合は、再生処理不可と判断する。
【００８６】
前記のように、周知のバッテリー再生可否判断によって再生可能と判断された中古バッテリーは、再生処理の工程に進み、逆に、再生不可と判断された中古バッテリーにおいては、再生できない理由を付したラベル等を貼着する等して、管理事業者５に戻すことになる。管理事業者５は再生事業者３から戻された中古バッテリーを適法に処分し、そのバッテリーの経歴を示す「中古バッテリー供給情報」には、例えば、「再生不可」と記録して前記「中古バッテリー供給情報」を閉鎖（削除）する。
【００８７】
また、管理事業者５は端末５１を操作して再生不可の中古バッテリーについては、バッテリー属性データ記憶手段１２に記憶されている該当バッテリーを再生不可として記録するか、あるいは、記録を削除する等して、他の中古バッテリーと混同することがないように整理することは云うまでもない。なお、管理事業者５の指示に基づいて再生事業者３が再生処理不能の中古バッテリーを処分した場合、再生事業者３は図６の 「中古バッテリー供給情報」 に再生不可と記録し、前記「中古バッテリー供給情報」をサーバー１にネットワーク６を介して送信する。送信を受けた管理事業者５は、自ら廃棄処分する場合と同様に処理することは云うまでもない。
【００８８】
次に、前記のようにして中古バッテリーの再生可否判断を行い、再生処理可能と決定された中古バッテリーについては本来の再生処理作業を始める。中古バッテリーの再生処理については、周知の再生処理技術を用いて行う。前記再生処理の作業に入る前に中古バッテリーの損傷度合とか、バッテリー液の汚損度合等を充分に把握して行うことは云うまでもない。
【００８９】
再生事業者３が中古バッテリーの再生処理に採用する技術は、一般に、パルス充電方式や薬液投入方式等がある。パルス充電方式は、劣化したバッテリーの性能を回復させるには、例えば、電極表面に析出したサルフェーション（硫酸鉛ＰｂＳＯ4）を分子分解して、硫酸イオン（ＳＯ4-2）の形で電解液（Ｈ2ＳＯ4）に還元させ、電極の充放電能力を回復させる方式である。
【００９０】
このため、パルス充電方式においては、バッテリーの電極に直流パルスを流すことにより、サルフェーションを分子分解して電極の充放電能力を回復させるようにしたもので、この直流パルス充電方式におけるサルフェーションの分解速度は、処理対象のバッテリーの規格，劣化度（サルフェーションの量や結晶化の程度）、そして、処理時の温度等を考慮して行うことが要求されている。
【００９１】
一方、薬液投入方式においては、例えば、ビス−β−エチルカルボン酸ゲルマニウムセスキオキサイドを性能低下した中古バッテリーの電解液に添加することにより、ゲルマニウムの電子効果により、電極を迅速に洗浄して電位差を高めるとともに、サルフェーションを元の稀硫酸に戻す作用によって、中古バッテリーの機能回復をはかるようにしたものである。  
【００９２】
前記中古バッテリーの再生処理が終了したら、再生事業者３は再生処理した再生バッテリーの品質保証を伴うバッテリーテストを行う。前記再生バッテリーのテスト結果は、すべて図９に示す「バッテリー再生チェックリスト」に記述する。前記「バッテリー再生チェックリスト」への記入事項は、図９に示すように、再生処理した中古バッテリーの経歴と試験結果（セルＮｏ．，格子合金，容量，…）を再生回数，再生年月とともに記述する。前記記述した「バッテリー再生チェックリスト」は、再生事業者３の端末３１に設けた再生バッテリー属性データ入力手段３１ａを操作して、 サーバー１にネットワーク６を介して送信する。
【００９３】
前記再生事業者３から受信した「バッテリー再生チェックリスト」に基づきサーバー１は、前記再生処理した再生バッテリーにＩＤ番号を付すとともに、前記再生処理した再生バッテリーの属性データをバッテリー属性データ記憶手段１２に記憶させるとともに、その属性データを利用して再生バッテリー情報抽出手段１９により、図８に示すフォーマットにより再生バッテリーの「バッテリー管理情報」を自動作成し、サーバー１上において開示する。また、再生処理した再生バッテリーは、これを使用するバッテリーユーザー４が既に決定している場合は、管理事業者５の依頼により再生事業者３が搬送し、一方、再生バッテリーの使用先が未定の場合は、管理事業者５の要請にて再生事業者３が一時保管したり、管理事業者５自身が保管するようにしてもよい。    
【００９４】
前記再生処理を終えた再生バッテリーは、管理事業者５の依頼により再生事業者３がバッテリーユーザー４に搬送するか、管理事業者５が保管している場合は、管理事業者５自ら、あるいは、管理事業者５からの依頼に基づき、電気工事事業者等がバッテリーユーザー４に搬送する。
【００９５】
前記バッテリーユーザー４に搬送した再生バッテリー７３（図２参照）は、再生事業者３、あるいは、管理事業者５が別に指定した電気工事事業者によって、バッテリーユーザー４に設置されている電池電力貯蔵装置７２の古いバッテリーと交換して設置する。また、前記再生バッテリー７３の設置と併せて再生バッテリー７３の充・放電時における電圧，電流，温度等を検出するバッテリー監視手段４１ｂと、前記バッテリー監視手段４１ｂにて検出した再生バッテリー７３の残存容量や温度情報を示すデータを、サーバー１にネットワーク６を介して送信する通信手段を内蔵した監視データ入力手段４１ｃとが正常に作動するかチェックを行う。
【００９６】
前記再生バッテリー７３をバッテリーユーザー４に設置したら、電池電力貯蔵装置７２をその運用に必要な事項や負荷７１等の接続状況を点検した後使用を開始する。電池電力貯蔵装置７２の使用については、バッテリーユーザー４によって個々に異なり、かつ、本発明とは直接関係ないと思われるので説明は省略する。
【００９７】
バッテリーユーザー４の電池電力貯蔵装置７２に再生バッテリー７３を設置したら、管理事業者５はバッテリーユーザー４との間で、例えば、再生バッテリー７３の賃貸期間，賃貸費用等をベースとした賃貸契約（売却等）を締結する。そして、前記バッテリーユーザー４に設置した再生バッテリー７３は、電池電力貯蔵装置７２の稼動中、停止中に関係なく、その運転状況をバッテリー監視手段４１ｂにより常時監視し、その監視データは前記バッテリー監視手段４１ｂに接続したバッテリーユーザー側端末４１の監視データ入力手段４１ｃよりネットワーク６を介してサーバー１に伝送され、サーバー１の監視データ表示手段１６にバッテリーユーザーＩＤ，再生バッテリーＩＤとともに表示される。
【００９８】
即ち、前記再生バッテリー７３のバッテリー監視手段４１ｂは、バッテリーユーザー４の電池電力貯蔵装置７２に設置した再生バッテリー７３の電圧，電流，温度情報等のデータを図１０のフォーマットに示すように、「バッテリー監視情報」としてサーバー１に伝送し表示するものである。前記「バッテリー監視情報」は、再生バッテリー７３の稼動後においては、該当する再生バッテリー７３の使用中における電圧，電流，温度情報がサーバー１に伝送される都度、前記監視データを受信しこれを表示するプログラムにて、前記「バッテリー監視情報」の電圧，電流，温度を示す表示欄に各バッテリー毎にリアルタイム、あるいは、一定時間毎に表示し、これを図１０に示す「バッテリー監視情報」の形式として、サーバー１の監視データ表示手段１６にて表示される。なお、前記「バッテリー監視情報」は、必要に応じて監視データ伝送手段１６ａにより、当該バッテリーユーザー４や再生事業者３の端末４１，３１のバッテリー情報受信・表示手段４１ｄ，３１ｂに伝送したり、前記各端末４１，３１よりペーパーにて打出すことも可能である。また、バッテリーユーザー４等が端末４１を操作してサーバー１にアクセスし、前記監視データを閲覧することもできる。
【００９９】
次に、バッテリーユーザー４の再生バッテリー７３を監視している際、再生バッテリー７３の監視データが次の条件に該当する場合は、サーバー１からネットワーク６を介してバッテリーユーザー４側端末４１にバッテリー交換情報が自動配信され、再生バッテリー７３が交換時期に達したことを警報伝送手段（メッセージ）１５にて知らせる。 
【０１００】
再生バッテリー７３の交換情報が、サーバー１よりバッテリーユーザー４に警報伝送手段１５にて配信される条件は、次の内容が確認されたときに行われる。
（１）再生バッテリー７３の充電時において、所定の充電電圧の設定値を越えたとき（例えば、公称定格電圧の１５０％増）、あるいは、放電時において、所定の放電終止予定電圧の設定値を下回ったとき（例えば、公称定格電圧の９０％以下）。
（２）再生バッテリー７３の充電時における電流が、事前に設定した電流値より低い電流値を検出したとき。
（３）再生バッテリー７３の温度が、事前に設定した温度範囲から外れたとき。
【０１０１】
前記の（１）〜（３）の条件を全部満たしているときは、サーバー１に組込んだバッテリー交換情報のプログラムが作動し、該当する再生バッテリー７３を使用しているバッテリーユーザー４にバッテリー交換情報を自動配信する。このあと、管理事業者５は、バッテリーユーザー４と再生バッテリー７３の監視データを基に再生バッテリー７３の交換について交渉し、バッテリーユーザー４に再生バッテリー７３を早期に交換しないと劣化を早め負荷等に悪影響を及ぼすことについて理解を求める。これは、前記（１）〜（３）の現象が生じたとき、これを放置すると再生バッテリー７３の劣化を早めることはもとより、再生バッテリーを損傷したり、負荷等に影響を与え、更には、劣化が酷くなるにつれてその再生処理が困難となることに他ならないからである。
【０１０２】
そして、管理事業者５は、バッテリーユーザー４から再生バッテリー７３の交換について了解が得られた場合、バッテリーユーザー４に再生バッテリー７３の交換時期を事前に提案し、バッテリーユーザー４に了解を得たあと再生事業者３に対しては、バッテリーユーザー４が使用している再生バッテリー７３の回収を依頼する。  
【０１０３】
そして、前記再生バッテリー７３の回収・交換が決定すると、管理事業者５は自身が保有している、あるいは、再生事業者３のところで保管している別の再生バッテリー７３をバッテリーユーザー４に提供し、新・旧の再生バッテリー７３の交換作業を行う。交換作業は管理事業者５が指定した再生事業者３、あるいは、電気工事事業者等が行うことになる。前記交換した古い再生バッテリー７３は、管理事業者５からの指示にて再生事業者３が自身の再生事業所に搬送する。また、再生事業者３等は、管理事業者５に古い再生バッテリー７３を再生事業者３が回収し、かつ、新たに再生処理した再生バッテリー７３と交換したことをネットワーク６等を介して連絡する。
【０１０４】
前記のように、古い再生バッテリー７３は、再生事業者３が回収した後、管理事業者５は再生事業者３に再生処理を委託する。再生事業者３は管理事業者５の要請により古い再生バッテリー７３を再度簡易的に再生処理した後、再生処理可能か否かを判断し、再生処理可能の場合は、管理事業者５に処理作業の日程、作業負荷等や処理作業に関係する諸事項を報告し、了解を得た後再生処理を実行する。なお、バッテリーの再生処理は、既述したので説明は省略する。
【０１０５】
古い再生バッテリー７３を再生処理したら、再生事業者３は再生処理した古い再生バッテリー７３の「バッテリー再生チェックリスト」（図9参照）の試験成績表欄に所定事項を記入の上、管理事業者５に古い再生バッテリー７３の再生処理が完了したことをネットワーク６等を介して連絡する。併せて再生処理した古い再生バッテリー７３は、再生バッテリーＩＤが付されてサーバー１に登録されるとともに、管理事業者５からの指示にて再生事業者３がバッテリーユーザー４の決まるまで保管するか、あるいは、管理事業者５自身が保管する。また、バッテリーユーザー４が決まれば管理事業者５の指示により、再生事業者３や管理事業者５が依頼した電気工事事業者がバッテリーユーザー４のところまで搬送する。
【０１０６】
次に、前記バッテリー交換の条件として設定されている３条件のうち、１つの条件が合致したときは、バッテリーユーザー４にサーバー１よりバッテリーのメンテナンス（点検）要請の情報が自動的に配信される。また、前記メンテナンス要請情報の代りに再生バッテリー７３については、一定期間毎にバッテリーユーザー４が自発的に再生バッテリー７３のメンテナンスを実行するようにしてもよいことは勿論である。
【０１０７】
今、例えば、サーバー１からバッテリーユーザー４側端末４１に再生バッテリー７３のメンテナンス情報が送信された場合について説明する。即ち、再生バッテリー７３のメンテナンスについて説明する。このメンテナンスについては、再生バッテリー７３の賃貸契約等を締結する際、事前にバッテリーユーザー４に対してバッテリーの交換・メンテナンス（寿命予測情報）情報が配信されたときは、機械的に再生バッテリー７３のメンテナンスを実行することにつき了解（約束）をとっておくことを条件とする。即ち、事前にリース契約等によりバッテリーのメンテナンスは、管理事業者５の指示で再生事業者３、または、電気工事事業者等が行うことを決めておくとよい。もっとも、バッテリーユーザー４がリース契約等にて自分でメンテナンスを実行すると約束したような場合は、点検情報の配信により管理事業者５からの連絡にてバッテリーユーザー４が、自己の責任で再生バッテリー７３の点検作業を行うことになる。  
【０１０８】
再生バッテリー７３のメンテナンスを行うときは、管理事業者５のサーバー１からバッテリーユーザー４にメンテナンス情報が送信されると、再生事業者３に再生バッテリー７３の「バッテリー管理情報」をネットワーク６を介して配信する等して、メンテナンスを行うバッテリーユーザー４を指定して行う。再生事業者３は前記「バッテリー管理情報」に基づき、バッテリーユーザー４を確認した後、バッテリーユーザー４のところまで出向き再生バッテリー７３のメンテナンスを行う。再生バッテリー７３のメンテナンスは、例えば、再生バッテリー７３の電圧，電流，温度の確認から、電極板，バッテリー液等を点検し、不備があれば、例えば、バッテリー液が減少していたら補充を行う等して、再生バッテリー７３が今後も正常に使用できるかを確認することにある。メンテナンスが終了すれば、再生事業者３はメンテナンスの状況報告を管理事業者５にネットワーク６を介して、あるいは、電話等にて行う。
【０１０９】
なお、前記再生バッテリー７３は、定期的なメンテナンスの他に、バッテリーユーザー４が再生事業者３に直接依頼したり、電池電力貯蔵装置７２を点検する場合に併行してメンテナンス対応者が実施しても差し支えない。なお、メンテナンスにおいて、再生バッテリー７３を継続して使用することが困難な場合、点検者である再生事業者３あるいは、バッテリーユーザー４は、管理事業者５に再生バッテリー７３の継続使用が難しく、別の再生バッテリー７３、あるいは、新しいバッテリーと交換すべきとの連絡を行い、再生バッテリー７３の回収を要請する。
【０１１０】
管理事業者５は再生事業者３からの要請に基づき、再生バッテリー７３の運転状況をサーバー１上に表示されるバッテリー監視情報により確認し、回収［要］と判断した場合、バッテリーユーザー４に再生バッテリー７３の交換時期等を明示し、バッテリーユーザー４に再生バッテリー７３回収への協力を得るようにする。一方、再生事業者３に対しては、バッテリーユーザー４が使用している再生バッテリー７３の回収を依頼する。以後の作業は再生バッテリー７３の交換と同様であるので説明は省略する。なお、回収した再生バッテリー７３が再生不能となった場合は、属性データ照合手段１３により当該バッテリーの属性データをバッテリー属性データ記憶手段１２から読み出し、再生バッテリー７３としての記録を削除する。一方、回収した再生バッテリー７３が再生処理によって再度使用できるようになった場合は、「再使用可能」である旨のマーク等を付して再使用に備えるようにする。
【０１１１】
つづいて、再生バッテリー７３の寿命予測について説明する。再生バッテリー７３の寿命予測は、新品のバッテリーと異なり再生処理を施してもいつ過放電等により急速劣化して使用が困難になるか分らない。これでは、バッテリーユーザー４に不安をもたらすことになりかねない。本発明においては、サーバー１にバッテリーの寿命予測手段１７と、寿命予測情報を伝送する手段１７ａとを具備して対応している。
【０１１２】
具体的には、バッテリー寿命予測手段１７のところで既述したので詳細な説明は省略するが、例えば、再生バッテリー７３の充・放電時の電圧をベースとして、充電開始の時点からどのくらいの時間が経過したら過電圧の検出が行われるか、また、放電においては、放電開始時点からどれくらいの時間が経過したら放電積算量の低減値に達して電圧低下の検出が行われるかを事前に把握しておき、前記各検出値に到るまでの経過データをベースとして再生バッテリー７３が、あとどれくらいの日数使用できるかという情報をバッテリーユーザー４に伝送することにより、バッテリーユーザー４は、再生バッテリー７３の不測の事態に対する対応を事前に把握し準備をしておくことが可能となる。即ち、再生バッテリー７３の寿命予測とは、再生バッテリー７３のメンテナンスの時期とか、再生バッテリー７３の交換時期を判断するための参考とするものである。例えば、前記の寿命予測は本発明の一実施例を示すもので、再生バッテリー７３の充・放電時において、過電圧検出値，電圧低下検出値を越えたとき、再生バッテリー７３は交換することになるが、再生バッテリー７３が常に正常に作動しておれば前記検出値を越える事態は生じない。このように、バッテリーの寿命予測を行うことで、再生バッテリー７３の活用（利用）範囲が大きく拡がり、その需要を開拓する上で大きな利点となることは云うまでもない。
【０１１３】
本発明は、以上説明したように、中古バッテリーを回収し、それを再生処理可能か否かを検証し、再生処理可能な場合は、再生処理を施して再利用を可能とするとともに、再利用に際しては、ネットワーク６を介してバッテリーユーザー４と連系して再生バッテリーの再利用を図るとともに、この再生バッテリーの継続使用が困難な場合は、再度回収しもう一度使用できるか否かを検証することにより、中古バッテリーが再生可能であれば、本発明の再生・流通システムを活用することにより、良好に再生利用が可能となる。これにより、廃棄処理が軽減でき、環境負荷を良好に低減できることはもとより、再利用することによって、資源の有効活用が図れ、かつ、使用者にとっても低廉に導入することができるので、利便である。
【０１１４】
本発明は、中古バッテリーを再利用する実施例について述べてきたが、中古バッテリーに代えて、新品のバッテリーを使用しているバッテリーユーザー４が、新品のバッテリーが古くなったときは、前記古くなったバッテリーを再利用可能に再生処理して、再度使用する場合についても適用できることは云うまでもない。また、再生処理するバッテリーは、事業所等にて使用していた電池電力貯蔵装置のバッテリーに限定することなく、例えば、トラック，バス，フォークリフト等輸送手段に使用しているバッテリーや、非常用電源として使用しているバッテリーについても適用できることは勿論である。
【０１１５】
なお、本発明においては、これまで再生バッテリー自体をバッテリーユーザー４に賃貸手段にて提供する例について説明したが、これに限定することなく、必要に応じてバッテリーユーザー４は、管理事業者５より再生バッテリーを買取手段にて導入し、導入後においては、バッテリーユーザー４が自ら希望すればバッテリー監視手段４１ｂを導入し、再生バッテリーの運転状態を常時把握し、必要時は本発明の再生・流通システムを利用して代替の再生バッテリーを導入して再利用をはかるようにしてもよい。
【０１１６】
更に、本発明の前記再生・流通システムは、管理事業者５がサーバー１を管理している例について説明したが、これに限定することなく、バッテリー供給者２、あるいは、再生事業者３がサーバー１を管理する等して本発明のシステムを実行するようにしても、本発明は成立するものである。また、本発明においては、「中古バッテリー供給情報」、再生バッテリーの「バッテリー管理情報」の作成については、サーバー１において自動作成してバッテリー関係者（利用者）に開示（閲覧）できるようにした例について説明したが、これに限定することなく、サーバー１に中古バッテリーや再生バッテリーのデータが入力されたとき、管理事業者５が自身の端末５１を利用して、前記「中古バッテリー供給情報」、再生バッテリーの「バッテリー管理情報」を作成して、利用者に提供するようにしてもよいことは勿論である。
【０１１７】
また、本発明においては、中古バッテリーＩＤ、再生バッテリーＩＤはそれぞれ異なるＩＤ番号を付して登録・管理を行っているが、中古バッテリーを再生処理してこれを再生バッテリーとして利用している関係上、バッテリーの履歴を一元化するために、中古・再生バッテリーを同一のＩＤ番号にて登録・管理するようにしても本発明は成立するものである。
【０１１８】
更に、本発明において、バッテリーユーザー４をサーバー１に新規登録する場合のフォーマット（図５参照）には、再生バッテリーの仕様と再生バッテリーＩＤを入力するように設けられているが、バッテリーユーザー４は必ずしも再生バッテリーのみを使用しているのではなく、新規に購入したバッテリーを継続使用している場合もあるため、この場合は、バッテリーユーザー４の新規登録に際し再生バッテリーではなく、中古バッテリーとしてＩＤ番号を付してバッテリーユーザー４のフォーマットに登録し、この中古バッテリーを後日再生処理し再生バッテリーとして使用するとき、改めて再生バッテリーとしてＩＤ番号を付して登録・管理するようにしても本発明は成立するものである。
【図面の簡単な説明】
【０１１９】
【図１】本発明のバッテリーの再生・流通システムの一例を示す構成図である。
【図２】本発明の再生バッテリーの運転状況を通報するシステムの一例を示す構成図である。
【図３】中古バッテリー供給者のフォーマットの一例を示す構成図である。
【図４】同じく再生事業者のフォーマットの一例を示す構成図である。
【図５】バッテリーユーザーのフォーマットの一例を示す構成図である。
【図６】中古バッテリー供給情報のフォーマットの一例を示す構成図である。
【図７】バッテリーユーザー要求バッテリーリストのフォーマットの一例を示す構成図である。
【図８】バッテリー管理情報のフォーマットの一例を示す構成図である。
【図９】バッテリー再生チェックリストのフォーマットの一例を示す構成図である。
【図１０】バッテリー監視情報のフォーマットの一例を示す構成図である。
【符号の説明】
【０１２０】
１  バッテリー管理サーバー
２  中古バッテリー供給者
３  再生事業者
４  バッテリーユーザー
５  管理事業者
６  ネットワーク
１１  バッテリー関係者登録手段
１２  バッテリー属性データ記憶手段
１３  属性データ照合手段
１４  属性データ伝送手段
１５  警報伝送手段
１６  監視データ表示手段
１６ａ  監視データ伝送手段
１７  バッテリー寿命予測手段
１７ａ  バッテリー寿命予測情報伝送手段
１８  中古バッテリー情報抽出手段
１９  再生バッテリー情報抽出手段
２１  中古バッテリー供給者側端末
２１ａ  中古バッテリー属性データ入力手段
２１ｂ  バッテリー情報受信・表示手段
３１  再生事業者側端末
３１ａ  再生バッテリー属性データ入力手段
３１ｂ  バッテリー情報受信・表示手段
４１  バッテリーユーザー側端末
４１ａ  バッテリー属性データ入力手段
４１ｂ  バッテリー監視手段
４１ｃ  監視データ入力手段
４１ｄ  バッテリー情報受信・表示手段
５１  管理事業者側端末
５１ａ  入力手段
５１ｂ  管理手段
５１ｃ  バッテリー情報受信・表示手段
【図１】
2005302337.tif 000003
【図２】
2005302337.tif 000004
【図３】
2005302337.tif 000005
【図４】
2005302337.tif 000006
【図５】
2005302337.tif 000007
【図６】
2005302337.tif 000008
【図７】
2005302337.tif 000009
【図８】
2005302337.tif 000010
【図９】
2005302337.tif 000011
【図１０】
2005302337.tif 000012